(57)【要約】  ワイヤレス通信に対する方法、デバイス、およびコンピュータ可読媒体は、ワイヤレスネットワークにおけるデバイスが共存する無線機を有する場合、マルチユーザ（ＭＵ）動作を管理するための技法を含むことができる。そのような技法は、たとえば、ＭＵ通信を混乱させない共存状態と、混乱させる共存状態との間の変化など、第１のデバイスの複数の無線アクセス技術（ＲＡＴ）共存状態における変化を識別することを含むことができる。Ｗｉ−Ｆｉ（登録商標）を用いてネットワークと通信するデバイスの場合、複数のＲＡＴ共存状態における変化は、非アクティブなＢｌｕｅｔｏｏｔｈ（登録商標）（ＢＴ）通信と、Ｗｉ−Ｆｉ通信と同時のアクティブなＢＴ通信との間の変化を示すことができる。複数のＲＡＴ共存状態における識別された変化に少なくとも部分的に基づいて、第２のデバイスにおけるＭＵ通信動作は、たとえば、第１のデバイスがＭＵ通信を混乱させ得る共存状態へと変化したとき、第１のＲＡＴを介する第１のデバイスと第２のデバイスとの間のＭＵ通信を無効化することによって調整され得る。【選択図】図２
2018509058.tif 000002
【特許請求の範囲】
【請求項１】
ワイヤレス通信の方法であって、
第１のデバイスの複数の無線アクセス技術（ＲＡＴ）共存状態における変化を識別することと、
前記複数のＲＡＴ共存状態における前記識別された変化に少なくとも部分的に基づいて、第２のデバイスにおける複数ユーザの多入力多出力（ＭＵ−ＭＩＭＯ）ワイヤレス通信動作を調整することと
を備える、方法。
【請求項２】
前記ＭＵ−ＭＩＭＯワイヤレス通信動作を調整することは、
前記第１のデバイスと前記第２のデバイスの間のＭＵ−ＭＩＭＯ通信を無効化することを備える、
請求項１に記載の方法。
【請求項３】
前記ＭＵ−ＭＩＭＯワイヤレス通信動作を調整することは、
前記第１のデバイスと前記第２のデバイスの間でシングルユーザ（ＳＵ）ＭＩＭＯ通信を使用することをさらに備える、
請求項２に記載の方法。
【請求項４】
前記複数のＲＡＴ共存状態における前記変化を識別することは、
前記第２のデバイスで、前記第１のデバイスからの要求を受信することからなるグループからの少なくとも１つを備え、前記要求は、ＭＵ−ＭＩＭＯ通信を有効化するための要求、およびＭＵ−ＭＩＭＯ通信を無効化するための要求からなるグループからのものである、
請求項１に記載の方法。
【請求項５】
前記要求は、ベンダ特有のアクションフレームを備える、
請求項４に記載の方法。
【請求項６】
前記複数のＲＡＴ共存状態における前記変化を識別することは、
前記第２のデバイスで、前記第１のデバイスからパワーセーブポール（ＰＳ−ＰＯＬＬ）を受信することを備える、
請求項１に記載の方法。
【請求項７】
前記複数のＲＡＴ共存状態における前記変化を識別することは、
前記第１のデバイスにおける媒体アクセス制御（ＭＡＣ）集約モードの有効化、および前記第１のデバイスにおけるＭＡＣ集約モードの無効化からなるグループからの１つを検出することを備える、
請求項１に記載の方法。
【請求項８】
ビーム形成サウンディング動作を実施することをさらに備え、
前記複数のＲＡＴ共存状態における前記変化は、前記ビーム形成サウンディング動作に応じて識別される、
請求項１に記載の方法。
【請求項９】
前記複数のＲＡＴ共存状態における前記変化を識別することは、
前記ビーム形成サウンディング動作からの圧縮ビーム形成（ＣＢＦ）障害の数が、所定の閾値を超えたことを検出することを備える、
請求項８に記載の方法。
【請求項１０】
前記複数のＲＡＴ共存状態における前記変化に少なくとも部分的に基づいて設定されたタイマの期限切れを検出することと、
前記タイマの前記検出された期限切れに少なくとも部分的に基づいて、ＭＵ−ＭＩＭＯワイヤレス通信動作の前記調整を逆にすることと
をさらに備える、請求項１に記載の方法。
【請求項１１】
前記タイマの持続期間は、前のタイマ期限切れ以降に生じた圧縮ビーム形成（ＣＢＦ）障害の数に少なくとも部分的に基づいて設定される、
請求項１０に記載の方法。
【請求項１２】
前記第１のデバイスの前記複数のＲＡＴ共存状態における前記変化は、ＭＵ−ＭＩＭＯ通信を混乱させる前記第１のデバイスにおける共存モードのアクティベーション、およびＭＵ−ＭＩＭＯ通信を混乱させる前記第１のデバイスにおける共存モードのデアクティベーションからなるグループからのものである、
請求項１に記載の方法。
【請求項１３】
別のデバイスとのワイヤレス通信のためのデバイスであって、
前記別のデバイスの複数の無線アクセス技術（ＲＡＴ）共存状態における変化を識別するための検出器と、
前記複数のＲＡＴ共存状態における前記識別された変化に少なくとも部分的に基づいて、前記別のデバイスとのＭＵ−ＭＩＭＯワイヤレス通信動作を調整するためのコーディネータと
を備えるデバイス。
【請求項１４】
前記ＭＵ−ＭＩＭＯワイヤレス通信動作を調整するための前記コーディネータは、前記デバイスに、
前記別のデバイスとのＭＵ−ＭＩＭＯ通信を無効化させるように構成される、請求項１３に記載のデバイス。
【請求項１５】
前記複数のＲＡＴ共存状態における前記変化を識別するための前記検出器は、
前記別のデバイスから受信されたパワーセーブポール（ＰＳ−ＰＯＬＬ）から前記複数のＲＡＴ共存状態における前記変化を決定するように構成される、
請求項１３に記載のデバイス。
【請求項１６】
前記複数のＲＡＴ共存状態における前記変化を識別するための前記検出器は、
前記別のデバイスにおける媒体アクセス制御（ＭＡＣ）集約モードの有効化、および前記別のデバイスにおけるＭＡＣ集約モードの無効化からなるグループからの少なくとも１つを検出するように構成される、
請求項１３に記載のデバイス。
【請求項１７】
前記コーディネータは、ビーム形成サウンディング動作を実施するようにさらに構成され、また
前記検出器は、前記ビーム形成サウンディング動作に応じて、前記複数のＲＡＴ共存状態における前記変化を識別するようにさらに構成される、
請求項１３に記載のデバイス。
【請求項１８】
前記検出器は、圧縮ビーム形成（ＣＢＦ）障害の数が、所定の閾値に達したかどうかを検出するようにさらに構成される、
請求項１７に記載のデバイス。
【請求項１９】
タイマをさらに備え、前記タイマは、前記複数のＲＡＴ共存状態における前記変化に応じて設定され、前記コーディネータは、前記タイマの期限切れに少なくとも部分的に基づいて、前記ＭＵ−ＭＩＭＯワイヤレス通信動作の前記調整を逆にするようにさらに構成される、
請求項１３に記載のデバイス。
【請求項２０】
前記タイマを設定するための時間の持続期間は、前のタイマ期限切れ以降に生じた圧縮ビーム形成（ＣＢＦ）障害の数に少なくとも部分的に基づく、
請求項１９に記載のデバイス。
【請求項２１】
前記別のデバイスの前記複数のＲＡＴ共存状態における前記変化は、ＭＵ−ＭＩＭＯ通信を混乱させる前記別のデバイスにおける共存モードのアクティベーション、およびＭＵ−ＭＩＭＯ通信を混乱させる前記別のデバイスにおける共存モードのデアクティベーションからなるグループからのものである、
請求項１３に記載のデバイス。
【請求項２２】
前記デバイスはアクセスポイント（ＡＰ）である、
請求項１３に記載のデバイス。
【請求項２３】
前記別のデバイスからの前記複数のＲＡＴ共存状態における前記変化のインジケーションは、
前記別のデバイスの非ＷＬＡＮ無線機のプロファイル、
前記別のデバイスの前記非ＷＬＡＮ無線機のプロトコル、および
前記別のデバイスの前記非ＷＬＡＮ無線機のアクティビティレベル
における変化からなるグループからの少なくとも１つにおける変化である、
請求項１３に記載のデバイス。
【請求項２４】
前記非ＷＬＡＮ無線機は、Ｂｌｕｅｔｏｏｔｈ（登録商標）無線機である、
請求項２３に記載のデバイス。
【請求項２５】
前記デバイスは、
前記別のデバイスと通信するように構成されたＷＬＡＮトランシーバと、
前記別のデバイスと通信するように構成されたＷＷＡＮトランシーバと
からなるグループからのものをさらに備える、請求項２３に記載のデバイス。
【請求項２６】
アクセスポイントのプロセッサにより実行されたとき、前記アクセスポイントに、
前記アクセスポイントに接続されたステーションのＢｌｕｅｔｏｏｔｈ無線機の動作における変化を識別することと、
前記アクセスポイントのＷＬＡＮ無線機の前記ステーションとの複数ユーザの多入力多出力（ＭＵ−ＭＩＭＯ）ワイヤレス通信動作を調整することと
を備える、動作を実施させるプログラム命令を含む非一時的なコンピュータ可読媒体。
【請求項２７】
別のデバイスとのワイヤレス通信のためのデバイスであって、
前記別のデバイスの複数の無線アクセス技術（ＲＡＴ）共存状態における変化を識別するための手段と、
前記複数のＲＡＴ共存状態における前記識別された変化に少なくとも部分的に基づいて、前記別のデバイスとのＭＵ−ＭＩＭＯワイヤレス通信動作を調整するための手段と
を備える、デバイス。
【請求項２８】
前記ＭＵ−ＭＩＭＯワイヤレス通信動作を前記調整するための手段は、前記別のデバイスとのＭＵ−ＭＩＭＯ通信を無効化するための手段をさらに備える、
請求項２７に記載のデバイス。
【請求項２９】
前記ＭＵ−ＭＩＭＯワイヤレス通信動作を前記調整するための手段は、ビーム形成サウンディング動作を実施するようにさらに構成され、
前記複数のＲＡＴ共存状態における前記変化を前記識別するための手段は、前記ビーム形成サウンディング動作に応じて、前記複数のＲＡＴ共存状態における前記変化を識別するようにさらに構成される、
請求項２７に記載のデバイス。
【請求項３０】
前記識別するための手段は、圧縮ビーム形成（ＣＢＦ）障害の数が、所定の閾値に達したかどうかを検出するための手段をさらに備える、
請求項２９に記載のデバイス。
【発明の詳細な説明】
【相互参照】
【０００１】
[0001]特許を求める本出願は、本出願の譲受人に各々が譲渡された２０１５年８月２０日出願の「Ｍｕｌｔｉ−Ｕｓｅｒ  Ｏｐｅｒａｔｉｏｎ  Ｍａｎａｇｅｍｅｎｔ」と題するＨｉｒｓｃｈ他による米国特許出願第１４／８３１，３４９号、および２０１５年２月２日出願の「Ｍｕｌｔｉ−Ｕｓｅｒ  Ｏｐｅｒａｔｉｏｎ  Ｍａｎａｇｅｍｅｎｔ」と題するＨｉｒｓｃｈ他による米国特許仮出願第６２／１１０，９７４号に対する優先権を主張するものである。
【技術分野】
【０００２】
[0002]以下は、一般に、ワイヤレス通信に関し、より詳細には、１つまたは複数のワイヤレス通信デバイスが、アクティブな共存する無線アクセス技術を有する場合、マルチユーザ動作を管理するための技法に関する。
【背景技術】
【０００３】
[0003]ワイヤレス通信システムは、音声、ビデオ、パケットデータ、メッセージング、ブロードキャスト、および以下同様のものなど、様々なタイプの通信コンテンツを提供するために、広く展開されている。これらのシステムは、利用可能なシステム資源（たとえば、時間、周波数、および電力）を共用することによって、複数のユーザとの通信をサポートできる多重アクセスシステムとすることができる。
【０００４】
[0004]ワイヤレス通信ネットワークは、いくつかのワイヤレス通信デバイスに対する通信をサポートできる、たとえば、アクセスポイント（ＡＰ）など、いくつかのネットワークデバイスを含むことができる。ワイヤレスデバイスは、ネットワークデバイスと双方向に通信することができる。たとえば、ワイヤレスローカルエリアネットワーク（ＷＬＡＮ）においては、ステーション（ＳＴＡ）は、ダウンリンクおよびアップリンクを介して、関連付けられたＡＰと通信することができる。ＳＴＡの観点からすると、ダウンリンク（または送信リンク）は、ＡＰからステーションへの通信リンクを指し、またアップリンク（または逆方向リンク）は、ステーションからＡＰへの通信リンクを指す。
【０００５】
[0005]多くの場合、ワイヤレス通信デバイスは、異なる無線アクセス技術（ＲＡＴ）に対して複数の共存する無線機を有することができる。たとえば、ワイヤレス通信デバイスは、ＷＬＡＮ通信を送り、受信するために１つの無線機を使用し、またＢＬＵＥＴＯＯＴＨ（登録商標）（Ｂｌｕｅｔｏｏｔｈ（登録商標）またはＢＴ）通信を送り、受信するために別の無線機を使用することができる。無線機の互いに対する近接性は、特に無線機が共に同時に動作している場合、不要な干渉を生ずるおそれがある。さらにＢＴ通信は、ＷＬＡＮ無線機におけるサウンディング、およびＭＵ物理レイヤコンバージェンスプロトコル（ＰＬＣＰ）プロトコルデータユニット（ＰＰＤＵ）送信など、マルチユーザ（ＭＵ）の多入力多出力（ＭＩＭＯ）動作を混乱させるおそれがある。そのような混乱は、その無線機の一方または両方の処理量に悪影響を与える可能性がある。
【発明の概要】
【０００６】
[0006]前述の特徴は、概して、ワイヤレスネットワークにおけるデバイスが、共存する無線機を有する場合、マルチユーザ（ＭＵ）動作（たとえば、マルチユーザ多入力多出力（ＭＵ−ＭＩＭＯ））を管理するための技法に関する。そのような技法は、逆も同様であるが、ＭＵ−ＭＩＭＯ通信を混乱させない共存状態から、混乱させる共存状態への変化など、第１のデバイスの複数の無線アクセス技術（ＲＡＴ）共存状態における変化を識別することを含むことができる。Ｗｉ−Ｆｉ（登録商標）を用いてワイヤレスローカルエリアネットワーク（ＷＬＡＮ）と通信するデバイスの場合、複数のＲＡＴ共存状態における変化は、逆も同様であるが、非アクティブなＢＬＵＥＴＯＯＴＨ（ＢｌｕｅｔｏｏｔｈまたはＢＴ）通信から、Ｗｉ−Ｆｉ通信と同時のアクティブなＢＴ通信への変化を示すことができる。
【０００７】
[0007]複数のＲＡＴ共存状態における識別された変化に少なくとも部分的に基づいて、第２のデバイスにおけるＭＵ−ＭＩＭＯ通信動作が調整され得る。たとえば、第１のデバイスが、ＢＴを用いて送信を開始したとき、またはその他の形で、ＭＵ−ＭＩＭＯ通信を混乱させ得る共存状態に変化したとき、第２のデバイスは、ＷＬＡＮを介する第１のデバイスと第２のデバイスの間のＭＵ−ＭＩＭＯ通信を無効化することができる。
【０００８】
[0008]ワイヤレス通信の方法が述べられる。方法は、第１のデバイスの複数のＲＡＴ共存状態における変更を識別することを含むことができる。複数のＲＡＴ共存状態における識別された変化に少なくとも部分的に基づいて、第２のデバイスにおけるＭＵ−ＭＩＭＯワイヤレス通信動作が調整され得る。ＭＵ−ＭＩＭＯ動作を調整することは、逆も同様であるが、ＭＵ−ＭＩＭＯからシングルユーザ通信に切り替えることを含むことができる。したがって、ＭＵ−ＭＩＭＯ動作を調整することは、第１のデバイスと第２のデバイスの間のＭＵ−ＭＩＭＯ通信を無効化すること、または第１のデバイスと第２のデバイスの間のＭＵ−ＭＩＭＯ通信を有効化することを含むことができる。第１のデバイスと第２のデバイスの間のＭＵ−ＭＩＭＯ通信を無効化する場合、方法は、第１のデバイスと第２のデバイスの間でシングルユーザ（ＳＵ）ＭＩＭＯ通信を使用することをさらに含むことができる。
【０００９】
[0009]複数のＲＡＴ共存状態における変化を識別することは、第１のデバイスからの要求を第２のデバイスで受信することを含むことができる。要求は、ＭＵ−ＭＩＭＯ通信を有効化するための要求、またはＭＵ−ＭＩＭＯ通信を無効化するための要求とすることができる。要求は、ベンダ特有のアクションフレームとすることができる。複数のＲＡＴ共存状態における変化を識別することは、第１のデバイスから、第２のデバイスでパワーセーブポール（ＰＳ−ＰＯＬＬ）を受信することを含むことができる。複数のＲＡＴ共存状態における変化を識別することは、第１のデバイスで、媒体アクセス制御（ＭＡＣ）集約モードの有効化を検出すること、または第１のデバイスで、ＭＡＣ集約モードの無効化を検出することを含むことができる。
【００１０】
[0010]方法はまた、ビーム形成サウンディング動作を実施することを含むことができる。複数のＲＡＴ共存状態における変化は、ビーム形成サウンディング動作に応じて識別され得る。この場合、複数のＲＡＴ共存状態における変化を識別することは、ビーム形成サウンディング動作からの圧縮ビーム形成（ＣＢＦ）障害の数が所定の閾値を超えていることを検出することを含むことができる。
【００１１】
[0011]方法はまた、複数のＲＡＴ共存状態における変化に少なくとも部分的に基づいて設定されたタイマの期限切れを検出することを含むことができる。タイマの検出された期限切れに少なくとも部分的に基づいて、ＭＵ−ＭＩＭＯワイヤレス通信動作の調整を逆にすることができる。そのような場合、タイマの持続期間は、前のタイマ期限切れ以降に生じたＣＢＦ障害の数に少なくとも部分的に基づいて設定され得る。
【００１２】
[0012]第１のデバイスの複数のＲＡＴ共存状態における変化は、ＭＵ−ＭＩＭＯ通信を混乱させる第１のデバイスにおける共存モードのアクティベーション、またはＭＵ−ＭＩＭＯ通信を混乱させる第１のデバイスにおける共存モードのデアクティベーションとすることができる。
【００１３】
[0013]別のデバイスとワイヤレス通信するためのデバイスが述べられる。デバイスは、別のデバイスの複数のＲＡＴ共存状態における変化を識別するための検出器を含むことができる。デバイスはまた、複数のＲＡＴ共存状態における識別された変化に少なくとも部分的に基づき、別のデバイスとのＭＵ−ＭＩＭＯワイヤレス通信動作を調整するためのコーディネータを含むことができる。
【００１４】
[0014]ＭＵ−ＭＩＭＯワイヤレス通信動作を調整するためのコーディネータは、デバイスに、別のデバイスとのＭＵ−ＭＩＭＯ通信を無効化させるように構成され得る。複数のＲＡＴ共存状態における変化を識別するための検出器は、別のデバイスから受信されたＰＳ−ＰＯＬＬから、複数のＲＡＴ共存状態における変化を決定するように構成され得る。複数のＲＡＴ共存状態における変化を識別するための検出器は、別のデバイスにおける媒体アクセス制御（ＭＡＣ）集約モードの有効化を検出する、または別のデバイスにおけるＭＡＣ集約モードの無効化を検出するように構成され得る。
【００１５】
[0015]コーディネータは、ビーム形成サウンディング動作を実施するようにさらに構成され、また検出器は、ビーム形成サウンディング動作に応じて、複数のＲＡＴ共存状態における変化を識別するようにさらに構成され得る。この場合、検出器は、ＣＢＦ障害の数が所定の閾値に達したかどうかを検出するようにさらに構成され得る。
【００１６】
[0016]デバイスは、タイマをさらに含むことができ、タイマは、複数のＲＡＴ共存状態における変化に応じて設定され得る。コーディネータは、タイマの期限切れに少なくとも部分的に基づいて、ＭＵ−ＭＩＭＯワイヤレス通信動作の調整を逆にするようにさらに構成され得る。タイマを設定するための時間の持続期間は、前のタイマ期限切れ以降に生じたＣＢＦ障害の数に少なくとも部分的に基づくことができる。
【００１７】
[0017]別のデバイスの複数のＲＡＴ共存状態における変化は、ＭＵ−ＭＩＭＯ通信を混乱させる別のデバイスにおける共存モードのアクティベーション、またはＭＵ−ＭＩＭＯ通信を混乱させる別のデバイスにおける共存モードのデアクティベーションを含むことができる。
【００１８】
[0018]デバイスはアクセスポイント（ＡＰ）とすることができる。別のデバイスからの複数のＲＡＴ共存状態における変化のインジケーションは、別のデバイスの非ＷＬＡＮ無線機のプロファイル、別のデバイスの非ＷＬＡＮ無線機のプロトコル、または別のデバイスの非ＷＬＡＮ無線機のアクティビティレベルのうちの少なくとも１つにおける変化を含むことができる。非ＷＬＡＮ無線機は、Ｂｌｕｅｔｏｏｔｈ無線機とすることができる。デバイスは、別のデバイスと通信するように構成されたＷＬＡＮトランシーバ、または別のデバイスと通信するように構成されたワイヤレス広域ネットワーク（ＷＷＬＡＮ）トランシーバを含むことができる。
【００１９】
[0019]非一時的なコンピュータ可読媒体が述べられる。非一時的なコンピュータ可読媒体は、アクセスポイントのプロセッサにより実行されたとき、アクセスポイントに、アクセスポイントに接続されたステーションのＢｌｕｅｔｏｏｔｈ無線機の動作における変化を識別することと、アクセスポイントのＷＬＡＮ無線機のステーションとのＭＵ−ＭＩＭＯワイヤレス通信動作を調整することとを含む動作を実施させることのできるプログラム命令を含むことができる。
【００２０】
[0020]別のデバイスとのワイヤレス通信のための別のデバイスが述べられる。デバイスは、別のデバイスの複数のＲＡＴ共存状態における変化を識別するための手段と、複数のＲＡＴ共存状態における識別された変化に少なくとも部分的に基づき、別のデバイスとのＭＵ−ＭＩＭＯワイヤレス通信動作を調整するための手段とを含むことができる。
【００２１】
[0021]ＭＵ−ＭＩＭＯワイヤレス通信動作を調整するための手段は、別のデバイスとのＭＵ−ＭＩＭＯ通信を無効化するための手段をさらに含むことができる。ＭＵ−ＭＩＭＯワイヤレス通信動作を調整するための手段は、ビーム形成サウンディング動作を実施するようにさらに構成され得る。この場合、識別するための手段は、ビーム形成サウンディング動作に応じて、複数のＲＡＴ共存状態における変化を識別するようにさらに構成され得る。ＭＵ−ＭＩＭＯワイヤレス通信動作を調整するための手段は、ＣＢＦ障害の数が所定の閾値に達したかどうかを検出するための手段をさらに含むことができる。
【００２２】
[0022]ワイヤレス通信の他の方法が述べられる。方法は、第１のデバイスのＲＡＴ共存状態における変化を検出することを含むことができる。検出された変化に少なくとも部分的に基づいて、メッセージが、第２のデバイスに送信され得る。メッセージは、第２のデバイスにおけるＭＵ−ＭＩＭＯ動作の調整をトリガすることができる。
【００２３】
[0023]メッセージは、ＭＵ−ＭＩＭＯ通信を有効化するための要求、またはＭＵ−ＭＩＭＯ通信を無効化するための要求とすることができる。さらにメッセージは、ベンダ特有のアクションフレームとすることができる。第１のデバイスの複数のＲＡＴ共存状態における検出された変化は、ＭＵ−ＭＩＭＯ通信を混乱させる第１のデバイスにおける共存モードのアクティベーション、またはＭＵ−ＭＩＭＯ通信を混乱させる第１のデバイスにおける共存モードのデアクティベーションとすることができる。
【００２４】
[0024]別のデバイスとのワイヤレス通信のための別のデバイスが述べられる。デバイスは、デバイスの複数のＲＡＴ共存状態における変化を検出するための手段と、検出された変化に少なくとも部分的に基づいて、別のデバイスにメッセージを送信するための手段とを含むことができる。メッセージは、別のデバイスにおけるＭＵ−ＭＩＭＯ動作の調整をトリガすることができる。
【００２５】
[0025]別のデバイスとのワイヤレス通信のための別のデバイスが述べられる。デバイスは、デバイスの複数のＲＡＴ共存状態における変化を検出するための検出器を含むことができる。デバイスはまた、検出された変化に少なくとも部分的に基づいて、別のデバイスにメッセージを送信するための送信機を含むことができる。メッセージは、別のデバイスにおけるＭＵ−ＭＩＭＯ動作の調整をトリガすることができる。
【００２６】
[0026]他の非一時的なコンピュータ可読媒体が述べられる。媒体は、デバイスのプロセッサにより実行されたとき、デバイスに、デバイスの複数のＲＡＴ共存状態における変化を検出し、検出された変化に少なくとも部分的に基づいて別のデバイスにメッセージを送信させるプログラム命令を含むことができる。メッセージは、別のデバイスにおけるＭＵ−ＭＩＭＯ動作の調整をトリガすることができる。
【００２７】
[0027]前述の方法およびデバイスの可用性のさらなる範囲は、以下の詳細な説明、特許請求の範囲、および図面から明らかになろう。詳細な説明および特有の例は、例示のために示されており、本説明の範囲に含まれる様々な変更および修正は、当業者には明らかとなろう。
【図面の簡単な説明】
【００２８】
[0028]本開示の性質および利点のさらなる理解は、添付図面を参照することによって得ることができる。添付図においては、同様の構成要素または機能は、同じ参照表示を有することができる。さらに同じタイプの様々な構成要素は、参照表示の後にダッシュと、同様の構成要素の中で区別する第２の表示とにより区別され得る。本明細書で、第１の参照表示だけが使用される場合、その記述は、第２の参照表示にかかわらず、同じ第１の参照表示を有する同様の構成要素のいずれか１つに適用可能である。
【図１】様々な例によるワイヤレス通信システムの例を示す図。
【図２】様々な例により生ずる可能性のある通信および動作の例を示す通信のフローチャート。
【図３】様々な例により生ずる可能性のある通信および動作の他の例を示す通信のフローチャート。
【図４】様々な例により生ずる可能性のある通信および動作のさらに他の例を示す通信のフローチャート。
【図５Ａ】様々な例によるワイヤレス通信システムで使用され得るワイヤレスデバイスの例のブロック図。
【図５Ｂ】様々な例によるワイヤレス通信システムで使用され得るワイヤレスデバイスの例のブロック図。
【図５Ｃ】様々な例によるワイヤレス通信システムで使用され得るワイヤレスデバイスの例のブロック図。
【図６Ａ】様々な例によるワイヤレス通信に対して構成されたワイヤレスデバイスの例のブロック図。
【図６Ｂ】様々な例によるワイヤレス通信に対して構成されたワイヤレスデバイスの例のブロック図。
【図６Ｃ】様々な例によるワイヤレス通信に対して構成されたワイヤレスデバイスの例のブロック図。
【図７】様々な例によるワイヤレス通信の方法の例を示すフローチャート。
【図８】様々な例によるワイヤレス通信の方法の他の例を示すフローチャート。
【図９】様々な例によるワイヤレス通信の方法のさらに他の例を示すフローチャート。
【図１０】様々な例によるワイヤレス通信の方法のさらなる例を示すフローチャート。
【発明を実施するための形態】
【００２９】
[0039]述べられる特徴は、概して、ワイヤレス通信の１つまたは複数の改良されたシステム、方法、および／またはデバイスに関する。ワイヤレス通信デバイスは、異なる無線アクセス技術（ＲＡＴ）に対して、複数の共存する無線機を有することができる。たとえば、ワイヤレス通信デバイスは、ワイヤレスローカルエリアネットワーク（ＷＬＡＮ）通信を送信および受信するために１つの無線機を使用し、またＢｌｕｅｔｏｏｔｈ（ＢＴ）通信を送信および受信するために別の無線機を使用することができる。しかし、共存する無線機を備えるワイヤレスデバイスでは、第１の無線機に関する何らかの動作モードが、第２の無線機に対するマルチユーザの多入力多出力（ＭＵ−ＭＩＭＯ）動作を混乱させるおそれがある。ＭＵ−ＭＩＭＯ動作における混乱は、ワイヤレス通信デバイスでの処理量に悪い影響を与える可能性がある。
【００３０】
[0040]したがって、ワイヤレス通信デバイスをＭＵ−ＭＩＭＯ  ＷＬＡＮ通信から（たとえば、ワイヤレス通信デバイスとシングルユーザ（ＳＵ）通信を実施しながら）除外することは、第１の無線機がアクティブに通信しているとき、またはその他の形で、第２の無線機におけるＭＵ−ＭＩＭＯ動作と干渉するような方法で動作しているときに有益であり得る。あるいは、第１の無線機がアクティブに通信していないとき、ワイヤレス通信デバイスが、第２の無線機を用いるＭＵ−ＭＩＭＯ通信に対して含まれ得る。アクセスポイント（ＡＰ）などの別個のデバイスが、ワイヤレス通信デバイスに共存する無線機の状態（すなわち、ワイヤレス通信デバイスの「複数のＲＡＴ共存状態」）に少なくとも部分的に基づいて、ワイヤレス通信デバイスに対するＭＵ−ＭＩＭＯ動作を管理することができる。
【００３１】
[0041]たとえば、ＡＰは、ワイヤレス通信デバイスの複数のＲＡＴ共存状態における変化を識別することができる。複数のＲＡＴ共存状態における変化を識別することは、ワイヤレス通信デバイスに対するＭＵ−ＭＩＭＯ通信を有効化する、または無効化する要求をワイヤレス通信デバイスから受信することを含むことができる。代替的に、複数のＲＡＴ共存状態における変化を識別することは、ワイヤレス通信デバイスからパワーセーブポール（ＰＳ−ＰＯＬＬ）を受信することを含むことができる。さらに、複数のＲＡＴ共存状態における変化を識別することは、共存するワイヤレス通信デバイスにおける媒体アクセス制御（ＭＡＣ）集約モードの有効化または無効化を検出することを含むことができる。
【００３２】
[0042]ＡＰは、複数のＲＡＴ共存状態における識別された変化に少なくとも部分的に基づいて、ＭＵ−ＭＩＭＯワイヤレス通信動作を調整することができる。そのような調整は、ＡＰと、共存するワイヤレス通信デバイスとの間のＭＵ−ＭＩＭＯ通信を無効化する、または有効化することを含むことができる。
【００３３】
[0043]以下の記述は、例を提供するものであり、特許請求の範囲に記載される範囲、可用性、または構成を限定するものではない。本開示の範囲を逸脱することなく、論じられる要素の機能および構成において変更を行うことができる。様々な例は、必要に応じて、様々なプロシージャもしくは構成要素を削除する、置き換える、または追加することができる。たとえば、述べられる方法は、述べられたものとは異なる順序で実施することができ、また様々なステップが、追加、削除、または組み合わされ得る。さらにいくつかの例に関して述べられる特徴は、多の例で組み合わされ得る。
【００３４】
[0044]図１は、様々な例に従って構成されたワイヤレスローカルエリアネットワーク（ＷＬＡＮ）１００（Ｗｉ−Ｆｉネットワークとしても知られている）の例を示す。ＷＬＡＮ１００は、アクセスポイント（ＡＰ）１０５と、複数の関連するステーション（ＳＴＡ）１１０とを含む。この例では、７個（７）のＳＴＡ１１０が示されているが、示された数は、単に例示のためにすぎないので、ＷＬＡＮ１００は、図１で示されたものよりも多い、または少ないＳＴＡ１１０を有することができる。ＡＰ１０５および関連するＳＴＡ１１０は、基本サービスセット（ＢＳＳ）、または拡張サービスセット（ＥＳＳ）を表すことができる。ネットワークにおける様々なＳＴＡ１１０は、ＡＰ１０５を介して互いに通信することができる。ＡＰ１０５の通達エリア１２０がさらに示されており、それは、ＷＬＡＮ１００の基本サービスエリア（ＢＳＡ）を表すことができる。図１では示されていないが、ＷＬＡＮ１００に関連付けられた拡張ネットワーク基地局は、複数のＡＰ１０５をＥＳＳにおいて接続できるようにする有線もしくはワイヤレスのディストリビューションシステム（ＤＳ）に接続され得る。
【００３５】
[0045]ＡＰ１０５は、ＷＬＡＮ通信リンク１１５を用いて、ＳＴＡ１１０の各々と双方向に通信するように構成され得る。ＷＬＡＮ通信リンク１１５は、ＡＰ１０５からＳＴＡ１１０に送られるダウンリンク送信（たとえば、ビーコンフレーム）、ならびにＳＴＡ１１０からＡＰ１０５に送られるアップリンク送信（たとえば、確認応答（ＡＣＫ）フレーム）を含むことができる。ＡＰ１０５は、ＭＵ−ＭＩＭＯ動作を用いて、複数のＳＴＡ１１０と同時に通信するように構成され得る。代替的に、またはさらに、ＡＰ１０５は、シングルユーザ（ＳＵ）動作を用いて、個々のＳＴＡ１１０と通信することができる。たとえば、ＡＰ１０５は、ＭＵ動作中に、ＳＴＡ１１０のサブセットと同時に通信することができるが、ＳＵ動作中には、ＳＴＡ１１０−ａと個々に通信することができる。
【００３６】
[0046]ＳＴＡ１１０−ａはまた、たとえば、セルラ式無線機などの非ＷＬＡＮ無線機（たとえば、ロングタームエボリューション（ＬＴＥ（登録商標）））を用いて、ＷＬＡＮ１００の外側の周辺デバイス１３０（たとえば、タブレット）と、非ＷＬＡＮ通信リンク１２５を介して通信することができる。代替的に、またはさらに、ＳＴＡ１１０−ａは、ＢＴ無線機など、異なる非ＷＬＡＮ無線機を用いて、ＷＬＡＮ１００の外側の別の周辺デバイス１４０（たとえば、ワイヤレスヘッドセット）と非ＷＬＡＮ通信リンク１３５を介して通信することができる。簡単化するために図示されていないが、周辺デバイス１３０、１４０の一方は、ＳＴＡ１１０−ａが、ＷＬＡＮ１００を介する代わりに、非ＷＬＡＮ接続を介して通信する別のＳＴＡ１１０とすることができる。
【００３７】
[0047]上記で述べたように、非ＷＬＡＮ通信リンク１２５、１３５を介するいくつかの通信は、ＷＬＡＮ１００におけるＭＵ−ＭＩＭＯ動作を混乱させるおそれがある。たとえば、非ＷＬＡＮ無線機がＢＴ無線機である場合、ＢＴ無線機が非ＷＬＡＮ通信リンク１２５、１３５を介してどのように通信するかを制御できる様々なＢＴプロファイルおよびプロトコルが定義され得る。これらのプロファイルまたはプロトコルのいくつかのものは、共存するＷＬＡＮ無線機におけるＭＵ−ＭＩＭＯ動作と両立しない可能性がある。たとえば、ＳＴＡ１１０−ａのＢＴ無線機が同期接続指向（ＳＣＯ）、または拡張ＳＣＯ（ｅＳＣＯ）プロトコルに従って動作している場合、ＢＴ無線機は、ＡＰ１０５に対する、ＳＴＡ１１０−ａのＷＬＡＮ無線機によるブロック確認応答（ＢＡ）の成功裡の送信を阻止する可能性がある。ブロック確認応答を送信することのこの障害は、ＡＰ１０５が、他のＳＴＡ１１０にブロック確認応答要求を送らないことになるか、そうでなければ、ＭＵ−ＭＩＭＯ送信を遅延させる結果になり得る。他方で、高度オーディオ配信プロファイル（Ａ２ＤＰ）など、ＢＴ無線機のいくつかのプロトコルおよびプロファイルは、ＷＬＡＮ無線機によるＭＵ−ＭＩＭＯ送信と両立可能であり得る。
【００３８】
[0048]ＳＴＡ１１０−ａは、ＷＬＡＮ通信リンク１１５に対する無線機、および非ＷＬＡＮ通信リンク１２５または１３５に対する無線機など、複数の共存する無線機にわたって、その通信を管理することができる。たとえば、無線機は、並列もしくは同時送信がスケジュールされているかどうか、またそうである場合、並列もしくは同時送信が可能であるかどうかを決定するために、スケジューリングメッセージを用いて、互いに通信することができる。これらの決定に基づいて、無線機による送信は、通信の送信電力を適合させること、通信の送信を遅延すること、および／または通信のフレームサイズを適合させることによるなど、互いに干渉する、または圧倒することを回避するように調整され得る。しかし、ＳＴＡ１１０−ａにおける通信のそのような管理は、ＭＵ−ＭＩＭＯ動作に対する混乱を考慮していない可能性がある。
【００３９】
[0049]したがって、本明細書で述べられる技法は、ＳＴＡ１１０−ａの複数のＲＡＴ共存状態に少なくとも部分的に基づいて、ＷＬＡＮ１００におけるＭＵ−ＭＩＭＯ管理（たとえば、ＡＰ１０５とのＭＵ−ＭＩＭＯ通信への参加、またはＭＵ−ＭＩＭＯ通信からのＳＴＡ１１０−ａの除外）を可能にする。ＳＴＡ１１０−ａの複数のＲＡＴ共存状態は、たとえば、プロファイル（たとえば、ＢＴプロファイル）、プロトコル（たとえば、コントローラスタックもしくはホストスタックＢＴプロトコル）、および／またはＳＴＡ１１０−ａの非ＷＬＡＮ無線機の（たとえば、アクティブに送信することに対してスリープモードにあるなど、アクティブではない）アクティビティレベルを含むことができる。
【００４０】
[0050]図２は、たとえば、図１におけるものなど、２つのデバイス間のワイヤレス通信に対する通信のフローチャート２００を示している。システムは、第１のワイヤレス通信デバイスＡＰ２０５と、第２のワイヤレス通信デバイスＳＴＡ２１０とを含む。ＡＰ２０５は、図１のＡＰ１０５の例とすることができる。ＳＴＡ２１０は、図１のＳＴＡ１１０−ａの例とすることができる。
【００４１】
[0051]ＡＰ２０５は、ＳＴＡ２１０の複数のＲＡＴ共存状態（たとえば、ＷＬＡＮとＢＴの共存）における変化を識別するように構成され得る。ＳＴＡ２１０の複数のＲＡＴ共存状態における変化は、たとえば、ＳＴＡ２１０の非ＷＬＡＮ無線機のプロトコル（たとえば、コントローラスタックもしくはホストスタックＢＴプロトコル）、プロファイル（たとえば、ＢＴプロファイル）、またはアクティビティ状態（たとえば、アクティブに送信することに対するスリープモード）における変化を含むことができる、共存の変化は、ＳＴＡ２１０から受信されたトリガ信号または通信２１５により識別され得る。トリガ信号または通信２１５は、ＳＴＡ２１０の共存状態における変化を明示的に示すことができるが、あるいは代替的に、トリガ信号または通信２１５は、ＡＰ２０５に情報を提供することができ、その情報から、ＡＰ２０５は、ＳＴＡ２１０の共存状態における変化を推定することができる。たとえば、信号または通信２１５は、ＳＴＡ２１０における媒体アクセス制御（ＭＡＣ）集約モードの有効化または無効化を要求することができる。
【００４２】
[0052]代替的に、またはさらに、信号または通信２１５は、ＭＵ−ＭＩＭＯ動作と両立しない（たとえば、混乱させる）ように（たとえば、動作モード）行われる、ＳＴＡ２１０における異なるＲＡＴ（たとえば、ＢＴ）の動作（たとえば、送信／受信）を示すことができる。たとえば、ＢＴが、同期接続指向（ＳＣＯ）、または拡張ＳＣＯ（ｅ−ＳＣＯ）リンクを用いて、ＢＴヘッドセットを介する音声コールに使用されている場合、受信および送信は、ＭＵ−ＭＩＭＯサウンディングおよび確認応答（たとえば、ＢＡ）プロシージャに利用可能な時間（たとえば、２．５ｍｓ）が不十分である固定された時間間隔で行われる。したがって、ＡＰ２０５は、ＳＴＡ２１０が、ＭＵ−ＭＩＭＯ動作と両立する（たとえば、混乱させない）方法（たとえば、動作モード）で異なるＲＡＴ（たとえば、ＢＴ）を用いることから、両立しない使用へと、状態を変化させたと決定することができる。
【００４３】
[0053]ＳＴＡ２１０における複数のＲＡＴ共存状態の変化（たとえば、ＡＰ２０５がトリガイベントを受信する、またはＳＴＡ２１０無線機によるアクティビティと同様に、ＡＰ２０５がトリガイベントを決定することなど）に少なくとも部分的に基づいて、ＡＰ２０５は、そのＭＵ−ＭＩＭＯワイヤレス通信動作を調整することができる。一実施形態では、ＡＰ２０５は、ＳＴＡ２１０に対して、ブロック２２０で、ＳＴＡ２１０へのＭＵ−ＭＩＭＯ動作を無効化することができる。代替的に、ＡＰ２０５は、処理量を低下させる（たとえば、ＭＣＳレートを変える、またはＭＵ−ＭＩＭＯに対するチャネルを狭くする）、または一時的にＭＵ−ＭＩＭＯを完全に無効化することができる。ＭＵ−ＭＩＭＯがＳＴＡ２１０に対して無効化された場合、ＡＰ２０５は、ＭＵ動作を行わずにＳＴＡ２１０との通信２２５を実施することができ、それにより、ＡＰ２０５と他のＳＴＡ（図示せず）との間のＭＵ−ＭＩＭＯ通信に対する可能性のある悪影響を回避する。
【００４４】
[0054]ＡＰ２０５は、ＳＴＡ２１０から、別のトリガ信号または通信２３０を受信することができる。この例では、トリガ信号または通信２３０は、ＳＴＡ２１０がＭＡＣ集約を使用していること、またはＳＴＡ２１０が、ＭＵ−ＭＩＭＯ動作と両立する（たとえば、混乱させない）方法で、ＢＴを使用していることを示すことができる。たとえば、ＢＴが、ＢＴヘッドセットを介して高度オーディオ配信プロファイル（Ａ２ＤＰ）を用いて媒体をストリーミングするために使用されている場合、ＢＴ通信は、比較的フレキシブルであり、ＭＵ−ＭＩＭＯサウンディングおよび確認応答（たとえば、ＢＡ）プロシージャに対して十分な時間（たとえば、３０〜４０ｍｓ）を提供することができる。
【００４５】
[0055]識別された共存状態に少なくとも部分的に基づき、ＡＰ２０５は、そのＭＵ−ＭＩＭＯワイヤレス通信動作を調整することができる。この場合、ＡＰ２０５は、（ブロック２３５で）ＳＴＡ２１０に対するＭＵ−ＭＩＭＯ動作を有効化することができる。ＡＰ２０５は、次いで、ＳＴＡ２１０および他のＳＴＡ（図示せず）とＭＵ−ＭＩＭＯ通信２４０を実施することができる。
【００４６】
[0056]図３は、ワイヤレス通信のための他の通信フローチャート３００を示す。図３は、第１のワイヤレス通信デバイスＡＰ３０５と、第２のワイヤレス通信デバイスＳＴＡ３１０との間の通信を示す。ＡＰ３０５は、図１のＡＰ１０５の例とすることができる。ＳＴＡ３１０は、図１のＳＴＡ１１０−ａの例とすることができる。
【００４７】
[0057]ＡＰ３０５は、ＳＴＡ３１０の複数のＲＡＴ共存状態（たとえば、ＷＬＡＮおよびＢＴの共存）における変化を識別するように構成され得る。この例では、変化は、ＳＴＡ３１０から受信された特定の信号３１５など、トリガイベントを介して識別され得る。たとえば、信号３１５は、ＡＰ３０５が、ＳＴＡ３１０に対してＢＡまたはＭＡＣ集約を使用しないように要求するＤＥＬＢＡ（ブロック確認応答削除）アクションフレームとすることができる。これは、たとえば、ＳＴＡ３１０が、ＳＴＡ３１０へのダウンリンクトラフィックを形成するために、クリアツーセンドツーセルフ（ＣＴＳ２Ｓ：clear-to-send-to-self）信号を使用する場合（たとえば、ＢＳＳの２．４ＧＨｚスペクトルで何らかのレガシーＷｉ−Ｆｉクライアントに対処する場合など）に相当する。代替的には、信号３１５は、１に設定された電力管理（ＰＭ）ビット（ＰＭ＝１）を有するＮＵＬＬフレームとすることができ、ＰＳ−ＰＯＬＬが、ＳＴＡ３１０へのダウンリンクトラフィックを形成するために使用される。さらに信号３１５は、ＡＰ３０５がＳＴＡ３１０に対してＭＵ−ＭＩＭＯを使用しないことを要求するＤＥＬＭＵ（ＭＵ削除）アクションフレームなど、ベンダ特有のアクションフレームとすることができる。
【００４８】
[0058]ＤＥＬＭＵアクションフレーム、または要求フレームは、ＡＰ３０５が、ＳＴＡ３１０に対するＭＵ−ＭＩＭＯ動作を無効化することを明示的に要求するために、ＳＴＡ３１０からＡＰ３０５に送られ得る。ＤＥＬＭＵ要求フレームは、フレームをＤＥＬＭＵ要求フレームとして識別する情報要素（ＩＥ）と、要求フレームを対応する応答フレームにマッチさせるための一意の数であるダイアログトークンを示すＩＥとを含むことができる。たとえば、ＡＰ３０５は、ＳＴＡ３１０に対するＭＵ−ＭＩＭＯ動作の無効化を明示的に確認するために、ＤＥＬＭＵ応答フレームをＳＴＡ３１０に送ることができる。ＤＥＬＭＵ応答フレームは、アクションフレームタイプ（ＤＥＬＭＵ応答）を示すＩＥと、対応するＤＥＬＭＵ要求フレームのダイアログトークンにマッチするダイアログトークンを示すＩＥと、ＭＵ−ＭＩＭＯ動作を無効化するための要求がＡＰ３０５によって受け入れられたか否かを示す状態コードを示すＩＥとを含むことができる。たとえば、ＡＰ３０５は、ＡＰ３０５がＭＵ−ＭＩＭＯ動作を無効化するための要求を受け入れる場合、状態コードＩＥをゼロ（０）に設定することができる。ベンダ特有のアクションフレームとして述べられているが、ＤＥＬＭＵ要求フレームまたは同様の要求フレームが、代替的に、複数のベンダにわたって標準化され得る。
【００４９】
[0059]そのような変化に少なくとも部分的に基づき、ＡＰ３０５は、そのＭＵ−ＭＩＭＯワイヤレス通信動作を調整することができる。この場合、ＡＰ３０５は、ＳＴＡ３１０に対して、ブロック３２０で、ＭＵ−ＭＩＭＯ動作を無効化することができる。ＡＰ３０５は、次いで、ＭＵ動作を行わずに、ＳＴＡ３１０と通信３２５を実施し、それにより、ＡＰ３０５と他のＳＴＡ（図示せず）との間のＭＵ−ＭＩＭＯ通信に対する可能性のある悪影響を回避することができる。
【００５０】
[0060]ＡＰ３０５は、ＳＴＡ３１０から他の特定の信号３３０を受信することができる。たとえば、信号３３０は、ＡＰ３０５が、ＳＴＡ３１０に対してＢＡまたはＭＡＣ集約を使用することを要求するＡＤＤＢＡ（ブロック確認応答追加）アクションフレームとすることができる。代替的に、信号３３０は、ゼロに設定されたＰＭビット（ＰＭ＝０）を有するＤａｔａまたはＮＵＬＬフレームとすることができる。さらに信号３３０は、ＡＰ３０５がＳＴＡ３１０に対してＭＵ−ＭＩＭＯを使用するように要求するＡＤＤＭＵ（ＭＵ追加）など、ベンダ特有のアクションフレームとすることができる。
【００５１】
[0061]ＡＤＤＭＵアクションフレーム、または要求フレームは、ＡＰ３０５がＳＴＡ３１０に対するＭＵ−ＭＩＭＯ動作を有効化することを明示的に要求するために、ＳＴＡ３１０からＡＰ３０５に送られ得る。ＡＤＤＭＵ要求フレームは、アクションフレームのタイプを示す（すなわち、フレームをＡＤＤＭＵアクションフレームとして識別する）情報要素（ＩＥ）と、ダイアログトークンを示す情報要素（ＩＥ）とを含むことができる。ダイアログトークンは、要求フレームを、対応する応答フレームにマッチさせるための一意の数とすることができる。たとえば、ＡＰ３０５は、ＳＴＡ３１０に対するＭＵ−ＭＩＭＯ動作の有効化を明示的に確認するために、ＳＴＡ３１０にＡＤＤＭＵ応答フレームを送ることができる。ＡＤＤＭＵ応答フレームは、アクションフレームタイプ（ＡＤＤＭＵ応答）を示すＩＥと、対応するＡＤＤＭＵ要求フレームのダイアログトークンにマッチするダイアログトークンを示すＩＥと、ＭＵ−ＭＩＭＯ動作を有効化するための要求がＡＰ３０５によって受け入れられたか否かを示す状態コードを示すＩＥとを含むことができる。たとえば、ＡＰ３０５は、ＡＰ３０５が、ＭＵ動作を有効化するための要求を受け入れた場合、状態コードＩＥをゼロ（０）に設定することができる。本明細書では、ベンダ特有のアクションフレームとして述べられているが、ＡＤＤＭＵ要求フレームまたは同様の要求フレームは、代替的に、ベンダにわたって標準化され得る。
【００５２】
[0062]複数のＲＡＴ共存状態における識別された変化に少なくとも部分的に基づき、ＡＰ３０５は、そのＭＵ−ＭＩＭＯワイヤレス通信動作を調整することができる。この場合、ＡＰ３０５は、ブロック３３５で、ＳＴＡ３１０に対するＭＵ−ＭＩＭＯ動作を有効化することができる。ＡＰ３０５は、次いで、ＳＴＡ３１０および他のＳＴＡ（図示せず）とＭＵ−ＭＩＭＯ通信３４０を実施することができる。
【００５３】
[0063]たとえば、高度オーディオ配信プロファイル（Ａ２ＤＰ）、またはオブジェクトプッシュプロファイル（ＯＰＰ：object push profile）を有するＢＴを用いる場合、ＳＴＡ３１０は、１に設定されたＰＭビット（ＰＭ＝１）を有するＮＵＬＬフレームを送ることができ、ＮＵＬＬフレームは、ＳＴＡ３１０へのダウンリンクトラフィックを形成するために使用される。これは、ＳＴＡ３１０が、いずれかのＷＬＡＮフレームを受信できないこと、したがって、ＭＵ−ＭＩＭＯ動作に対して除外されるべきであることをＡＰ３０５に示すことができる。ＳＴＡ３１０におけるＢＴがパケット送信を行った後、ＳＴＡ３１０は、０に設定されたＰＭビット（ＰＭ＝０）を有する他のＮＵＬＬフレームを送ることができる。これは、ＳＴＡ３１０がＷＬＡＮフレームを受信できること、したがって、ＭＵ−ＭＩＭＯ動作に含まれ得ることをＡＰ３０５に示すことができる。
【００５４】
[0064]ベンダ特有のアクションフレームに対するフォーマットは、それらの機能を改変することなく、これまでの記述とは変えることができることを理解されたい。
【００５５】
[0065]図４は、ワイヤレス通信のための他の通信のフローチャート４００を示す。図４は、第１のワイヤレス通信デバイスＡＰ４０５と、第２のワイヤレス通信デバイスＳＴＡ４１０との間の通信を示す。ＡＰ４０５は、図１のＡＰ１０５の例とすることができる。ＳＴＡ４１０は、図１のＳＴＡ１１０−ａの例とすることができる。
【００５６】
[0066]ＡＰ４０５は、ＳＴＡ４１０とビーム形成サウンディング４１５を実施することができる。ＳＴＡ４１０が、ＭＵ−ＭＩＭＯ動作と両立しない（たとえば、混乱させる）方法でＢＴを使用している場合、ＳＴＡ４１０は、サウンディング４１５に応じて、圧縮ビーム形成（ＣＢＦ）障害を示す信号４２０を返すことができる。代替的に、ＳＴＡ４１０は、サウンディング４１５に応じて信号を返さないこともあり得るが、ＡＰ４０５からのサウンディング通信の確認応答を欠くことによって、ＣＢＦ障害を示すことができる。
【００５７】
[0067]ＡＰ４０５は、ＳＴＡ４１０の複数のＲＡＴ共存状態（たとえば、ＷＬＡＮおよびＢＴの共存）における変化を示すトリガイベントとしてＣＢＦ障害を識別することができる。たとえば、ＡＰ４０５は、ブロック４２５で、ＳＴＡ４１０から閾値数のＣＢＦ障害を検出して、ＡＰ４０５をトリガし、ブロック４３５で、ＳＴＡ４１０に対するＭＵ−ＭＩＭＯ動作を無効化することができる。ＡＰ４０５は、次いで、ＳＴＡ４１０および他のＳＴＡとシングルユーザ（ＳＵ）−ＭＩＭＯ通信４４０を実施することができる。
【００５８】
[0068]図示のように、ＡＰ４０５は、ブロック４３０で、共存変化に少なくとも部分的に基づいて、タイマを設定することができる。たとえば、ＡＰ４０５は、前のタイマの期限切れ以降に生じたＣＢＦ障害の数に少なくとも部分的に基づいて、タイマの持続期間を設定することができる。前のタイマの期限切れ以降に生じたＣＢＦ障害の数が多いほど、現在のタイマに対する持続期間は長くなり得る。
【００５９】
[0069]ＡＰ４０５は、ブロック４４５で、タイマの期限切れを検出することができる。その検出に少なくとも部分的に基づき、ＡＰ４０５は、ＭＵ−ＭＩＭＯワイヤレス通信動作の前の調整を逆にする（たとえば、ブロック４５０で、ＳＴＡ４１０に対してＭＵ−ＭＩＭＯ動作を有効化する）ことができる。
【００６０】
[0070]概して、１）共存の変化に少なくとも部分的に基づいて設定されたタイマの期限切れを検出すること、および２）タイマの検出された期限切れに少なくとも部分的に基づいて、ＭＵ−ＭＩＭＯワイヤレス通信動作の調整を逆にすることの操作は、他のシナリオにおいても同様に使用され得る。たとえば、これらの操作は、混乱させる共存通信のタイミングが知られている、または決定論的なものであるのいずれかである場合に使用され得る。たとえば、いくつかのＲＡＴ通信モードまたはプロトコルは、１組の通信が実施され得る一定の時間を定義する、またはその他の形で有することができる。タイマは、通信が少なくともタイマの期限切れにより完了するように、共存状態（たとえば、ＳＴＡ４１０のＢＴ無線機のモードもしくはプロトコル）における変化に少なくとも部分的に基づいて設定され得る。したがって、タイマの期限が切れたとき、ＭＵ−ＭＩＭＯワイヤレス通信動作の調整は、ＭＵ−ＭＩＭＯ通信を混乱させる、またはＭＵ−ＭＩＭＯを十分活用しない危険を冒すことなく逆にされ得る。
【００６１】
[0071]図５Ａは、様々な例によるワイヤレス通信のために構成されたデバイス５００−ａを示すブロック図を示す。デバイス５００−ａはＡＰ５０５−ａとすることができ、それは、図１のＡＰ１０５、または図２、図３、および図４のＡＰ２０５、３０５、または４０５の例とすることができる。いくつかの例では、デバイス５００−ａは、プロセッサとすることができる。
【００６２】
[0072]デバイス５００−ａは、受信機５１２と、送信機５１４と、通信マネージャ５１５とを含むことができる。受信機５１２は、図１に関して上記で述べられたものなど、ＳＴＡ１１０から信号を受信することができる。さらに受信機５１２は、図２、図３、および図４に関して述べられたものなど、ＳＴＡ２１０、３１０、または４１０から信号／通信を受信することができる。送信機５１４は、図１に関して上記で述べられたものなど、ＳＴＡ１１０に信号を送信することができる。特に送信機５１４は、ＳＴＡ１１０とＭＵ−ＭＩＭＯ通信を、ならびに非ＭＵ通信を実施するように構成され得る。
【００６３】
[0073]通信マネージャ５１５は、図１において上記で述べられたＷＬＡＮ１００の動作、または動作の一部を実施することができる。さらに通信マネージャ５１５は、図２、図３、または図４における通信フローに関して上記で述べられた様々な動作を実施することができる。
【００６４】
[0074]別個のエンティティとして示されているが、受信機５１２、送信機５１４，および通信マネージャ５１５は、デバイス５００−ａ内の１つまたは複数のエンティティ中に組み込まれ得る。たとえば、受信機５１２および送信機５１４は、トランシーバの下位の構成要素とすることができ、それは、通信マネージャ５１５の機能を組み込むことができる。
【００６５】
[0075]通信マネージャ５１５は、共存変化検出器５２０と、ＭＵ−ＭＩＭＯコーディネータ５２５とを含むことができる。共存変化検出器５２０は、ＳＴＡ（図示せず）が複数のＲＡＴ共存状態における変化を受けたことを検出することができる。前述のように、たとえば、共存状態における変化は、トリガイベントによって伝えられ、また逆も同様であるが、ＳＴＡのＢＴ無線機が非アクティブな状態（たとえば、アクティブに送信していない）から、アクティブな状態（たとえば、アクティブに送信する）に移行することであり得る。代替的には、変化は、逆も同様であるが、ＭＵ−ＭＩＭＯ動作と両立するＢＴ動作から、ＭＵ−ＭＩＭＯ動作と両立しないＢＴ動作への変化であり得る。
【００６６】
[0076]共存変化検出器５２０は、受信機５１２によって受信された（たとえば、復号された）信号から情報を識別するように構成され得る。たとえば、共存変化検出器５２０は、デバイス５００−ａが、ＳＴＡとのＭＵ−ＭＩＭＯ通信を有効化する／無効化することを求めるＳＴＡから受信された要求を認識することができる。代替的に、共存変化検出器５２０は、ＳＴＡにおけるＭＡＣ集約モードの有効化／無効化を検出することができる。この検出は、ＳＴＡから受信されたＡＤＤＢＡ／ＤＥＬＢＡアクションフレームなど、明示的なシグナリングの受信に基づくことができるが、あるいはＡＰ５０５−ａにより受信または観察された他の情報から推測され得る。さらに共存変化検出器５２０は、（たとえば、ＰＳ−ＰＯＬＬの一部、またはＮＵＬＬフレームとして）ＳＴＡから受信されたＰＭビットの値を識別することができる。
【００６７】
[0077]共存変化検出器５２０によって識別された共存変化に少なくとも部分的に基づき、ＭＵ−ＭＩＭＯコーディネータ５２５は、デバイス５００−ａにおける共存変化を用いて、ＳＴＡに対するＭＵ−ＭＩＭＯワイヤレス通信動作を調整することができる。本明細書で述べられるように、そのような調整は、デバイス５００−ａとＳＴＡの間のＭＵ−ＭＩＭＯ通信を有効化する、または無効化することを含むことができる。したがって、ＭＵ−ＭＩＭＯコーディネータ５２５は、そのような通信に関して、どのＳＴＡを含めるか、およびどのＳＴＡを除外するかを決定することによって、複数のＳＴＡとのＭＵ−ＭＩＭＯ通信を管理することができる。
【００６８】
[0078]図４の通信フローチャート４００において上記で述べられた場合では、共存変化検出器５２０は、デバイス５００−ａによりＳＴＡに送られたサウンディングプロシージャの通信に応じて、ＣＢＦ障害（ＳＴＡから受信されたメッセージ、または確認応答の欠如）を検出し、合計することができる。共存変化検出器５２０は、したがって、ＣＢＦ障害の数が閾値に達したときを（たとえば、ＣＢＦ障害の累積数を閾値と比較することによって）決定することができる。
【００６９】
[0079]共存変化検出器５２０が、ＣＢＦ障害の数が閾値に達したと決定した場合、ＭＵ−ＭＩＭＯコーディネータ５２５は、デバイス５００−ａで、ＭＵ−ＭＩＭＯワイヤレス通信動作を調整することができる。たとえば、ＭＵ−ＭＩＭＯコーディネータ５２５は、デバイス５００−ａとＳＴＡの間のＭＵ−ＭＩＭＯ通信を無効化することができる。上記で述べられたように、いくつかの実施形態では、ＭＵ−ＭＩＭＯ通信は、そのＳＴＡに対してだけ無効化され、ＢＳＳにおける他のＳＴＡとのＡＰによるＭＵ−ＭＩＭＯ通信を無効化しない。
【００７０】
[0080]さらに通信マネージャ５１５はまた、タイマ５２７を含むことができる。共存変化検出器５２０、または通信マネージャ５１５は、共存変化に少なくとも部分的に基づいて（たとえば、ＣＢＦ障害の数が閾値に達したと決定したことに基づいて）、タイマ５２７を設定することができる。しかし、上記で述べたように、タイマ５２７は、デバイス５００−ａとは分離することができる。たとえば、タイマ５２７がＳＴＡに含まれ、ＳＴＡにより設定され得る。共存変化検出器５２０はまた、デバイス５００−ａがタイマ５２７を含むか否かにかかわらず、タイマ５２７のその後の段階の持続期間を決定するために使用され得るＣＢＦ障害の合計数を決定することができる。
【００７１】
[0081]いくつかの実施形態では、タイマは、ＳＴＡへの通信を一時的に改変するために使用される。したがって、通信マネージャ５１５は、タイマ５２７の期限切れを検出することができ、またＭＵ−ＭＩＭＯワイヤレス通信動作の調整を逆にすることができる。たとえば、ＭＵ−ＭＩＭＯコーディネータ５２５は、デバイス５００−ａと影響を受けるＳＴＡとの間でＭＵ−ＭＩＭＯ通信を有効化することができる。
【００７２】
[0082]図５Ｂは、様々な例によるワイヤレス通信に対して構成されたデバイス５００−ｂのブロック図を示す。デバイス５００−ｂは、ＡＰ５０５−ｂとすることができ、それは、図１のＡＰ１０５、図２、図３、および図４のＡＰ２０５、３０５、もしくは４０５、または図５ＡのＡＰ５０５−ａの例とすることができる。
【００７３】
[0083]デバイス５００−ｂは、通信を送信するための構成要素と、通信を受信するための構成要素とを含む双方向の音声およびデータ通信のための構成要素を含むことができる。たとえば、デバイス５００−ｂは、１つまたは複数のトランシーバ５４０および１つまたは複数のアンテナ５４５を介して、ＳＴＡ５１０−ａおよび５１０−ｂと双方向に通信することができる。さらにデバイス５００−ｂは、ポート５５５または他の適切なハードウェア（たとえば、バックホール）を介してコアネットワーク５６０と双方向に通信することができる。デバイス５００−ｂはまた、他のＡＰ（図示せず）と双方向に通信することができる。
【００７４】
[0084]示されているように、デバイス５００−ａは、プロセッサ５３０と、メモリ５３５（ソフトウェア（ＳＷ）５３７を記憶している）と、トランシーバ５４０と、アンテナ５４５とを含むことができ、その各々が、互いに（たとえば、バス５７０を介して）直接的に、または間接的に通信することができる。トランシーバ５４０は、前述のように、アンテナ５４５または有線もしくはワイヤレスリンクを介して、１つまたは複数のネットワークと双方向に通信することができる。トランシーバ５４０は、パケットを変調し、変調されたパケットを送信するためにアンテナ５４５に提供し、またアンテナ５４５から受信されたパケットを復調するためのモデムを含むことができる。デバイス５００−ｂは、単一のアンテナを含むことができるが、デバイス５００−ｂはまた、複数のワイヤレス送信を（たとえば、ＭＵ−ＭＩＭＯ動作を介して）同時に送信または受信できる複数のアンテナを有することができる。
【００７５】
[0085]メモリ５３５は、ランダムアクセスメモリ（ＲＡＭ）と、読出し専用メモリ（ＲＯＭ）とを含むことができる。メモリ５３５は、実行されたとき、プロセッサ５３０に、本明細書で述べられる様々な機能を実施させる（たとえば、共存の変化を識別すること、ＭＵ−ＭＩＭＯワイヤレス通信動作を調整することなど）命令を含むコンピュータ可読のコンピュータ実行可能なソフトウェア／ファームウェアコード５３７を記憶することができる。代替的に、コンピュータ実行可能なソフトウェア／ファームウェアコード５３７は、プロセッサ５３０によって直接的に実行可能ではないこともあるが、コンピュータに（たとえば、コンパイルされ、実行されたとき）本明細書で述べられる機能を実施させることができる。プロセッサ５３０は、インテリジェントなハードウェアデバイス（たとえば、中央処理装置（ＣＰＵ）、マイクロコントローラ、特定用途向け集積回路（ＡＳＩＣ）、など）を含むことができる。
【００７６】
[0086]デバイス５００−ａはまた、バス５７０を介して他の構成要素と通信することのできる通信マネージャ５１５−ａを含むことができる。通信マネージャ５１５−ａは、図５Ａの通信マネージャ５１５の例とすることができる。したがって、通信マネージャ５１５−ａは、図５Ａで示されたものと同様の下位の構成要素を含むことができるが、あるいはその他の形で、図５Ａに関して述べられたものと同様の動作を実施するように構成され得る。
【００７７】
[0087]通信マネージャ５１５−ａ、またはその下位の構成要素は、個々に、または集合的に、ハードウェアで適用可能な機能のいくつか、またはすべてを実施するように適合された少なくとも１つのＡＳＩＣを用いて実施され得る。代替的に、これらの構成要素の機能は、少なくとも１つの集積回路（ＩＣ）上の１つまたは複数の他の処理ユニット（またはコア）によって実施され得る。他のタイプの集積回路も使用され得るが（たとえば、構造化／プラットフォームＡＳＩＣ、フィールドプログラマブルゲートアレイ（ＦＰＧＡ）、または他のセミカスタムＩＣ）、それらは、当技術分野で知られたいずれかの方法でプログラムされ得る。各ユニットの機能はまた、全体的に、または部分的に、１つまたは複数の汎用、もしくは特定用途向けプロセッサにより実行されるようにフォーマットされた、メモリ内で実施される命令を用いて実施され得る。
【００７８】
[0088]通信マネージャ５１５−ａは、図５Ａの通信マネージャ５１５に関して上記で述べられたものなど、ＳＴＡ（図示せず）が、複数のＲＡＴ共存状態における変化を受けていることを示す共存の変化（たとえば、トリガイベント）を検出することができる。通信マネージャ５１５−ａは、（たとえば、本明細書で述べられるように、ＳＴＡからトランシーバ５４０により受信された信号からの情報を用いて）直接的または間接的のいずれかで、共存の変化を検出することができる。共存の変化に少なくとも部分的に基づいて、通信マネージャ５１５−ａは、本明細書で述べるように、デバイス５００−ｂにおけるＭＵ−ＭＩＭＯワイヤレス通信動作を調整することができる。したがって、通信マネージャ５１５−ａは、そのような通信に対してどのＳＴＡを含めるか、またどのＳＴＡを除外するかを決定することによって、複数のＳＴＡとのＭＵ−ＭＩＭＯ通信を管理することができる。通信マネージャ５１５−ａは、（たとえば、プロセッサ５３０、メモリ５３５、トランシーバ５４０、およびアンテナ５４５とともに）図２、図３、および図４の通信フローチャート２００、３００、または４００において、上記で述べられた様々な動作を実施することができる。
【００７９】
[0089]図５Ｃは、様々な例によるワイヤレス通信に対して構成されたデバイス５００−ｃの図を示す。デバイス５００−ｃは、ＡＰ５０５−ｃとすることができ、それは、図１のＡＰ１０５、図２、図３、および図４のＡＰ２０５、３０５、または４０５、図５ＡのＡＰ５０５−ａ、または図５ＢのＡＰ５０５−ｂの例とすることができる。
【００８０】
[0090]デバイス５００−ｃは、プロセッサ５３０−ａと、メモリ５３５−ａと、１つまたは複数のトランシーバ５４０−ａと、１つまたは複数のアンテナ５４５−ａとを含むことができ、その各々は直接的または間接的に（たとえば、バス５７０−ａを介して）互いに通信することができる。トランシーバ５４０−ａは、上記で述べたように、１つまたは複数のネットワークと、アンテナ５４５−ａ、またはワイヤードもしくはワイヤレスリンクを介して、双方向に通信することができる。たとえば、デバイス５００−ｃは、トランシーバ５４０−ａ、およびアンテナ５４５−ａを介して、ＳＴＡ５１０−ｃおよび５１０−ｄと双方向に通信することができる。さらにデバイス５００−ｃは、ポート５５５−ａ、または他の適切なハードウェア（たとえば、バックホール）を介して、コアネットワーク５６０−ａと双方向に通信することができる。デバイス５００−ｃはまた、他のＡＰ（図示せず）と双方向に通信することもできる。トランシーバ５４０−ａおよびアンテナ５４５−ａは、図５Ｂに関して上記で述べたように構成され得る。
【００８１】
[0091]メモリ５３５−ａは、ＲＡＭとＲＯＭとを含むことができる。メモリ５３５−ａは、実行されたとき、プロセッサ５３０−ａに、本明細書で述べられる様々な機能（たとえば、複数のＲＡＴ共存状態における変化を識別すること、ＭＵ−ＭＩＭＯワイヤレス通信動作を調整することなど）を実施させる命令を含む、コンピュータ可読のコンピュータ実行可能なソフトウェア／ファームウェアコードを記憶することができる。代替的に、ソフトウェア／ファームウェアコードは、プロセッサ５３０−ａによって直接的に実行可能ではないこともあるが、コンピュータに（たとえば、コンパイルされ、実行されたとき）本明細書で述べられる機能を実施させることができる。プロセッサ５３０−ａは、インテリジェントなハードウェアデバイス（たとえば、ＣＰＵ、マイクロコントローラ、ＡＳＩＣなど）を含むことができる。図５Ｃの例では、通信マネージャ５１５−ｂは、プロセッサ５３０−ａによって実行可能なソフトウェア／ファームウェアコードとして実施され得る。
【００８２】
[0092]デバイス５００−ａ、５００−ｂ、および／または５００−ｃの構成要素は、個々に、または集合的に、ハードウェアで適用可能な機能のいくつか、またはすべてを実施するように適合されたＡＳＩＣを用いて実施され得る。他の例では、デバイス５００−ａ、５００−ｂ、および／または５００−ｃの機能は、ＩＣ上の処理ユニット（またはコア）により実施され得る。他の例では、他のタイプの集積回路（たとえば、構造化／プラットフォームＡＳＩＣ、ＦＰＧＡ、および他のセミカスタムＩＣ）が使用され、それは、当技術分野で知られたいずれかの方法でプログラムされ得る。各ユニットの機能はまた、全体的に、または部分的に、汎用または特定用途向けプロセッサにより実行されるようにフォーマットされたメモリで実施される命令を用いて実施され得る。
【００８３】
[0093]図６Ａは、様々な例によるワイヤレス通信に対して構成されたデバイス６００−ａを示すブロック図を示す。デバイス６００−ａは、ＳＴＡ６１０−ａとすることができ、それは、図１のＳＴＡ１１０、または図２、図３、および図４のＳＴＡ２１０、３１０、もしくは４１０の例とすることができる。ＳＴＡ６１０−ａは、これだけに限らないが、パーソナルコンピュータ（たとえば、ラップトップコンピュータ、ネットブックコンピュータ、タブレットコンピュータなど）、セルラ式電話、ＰＤＡ、スマートフォン、デジタルビデオレコーダ（ＤＶＲ）、インターネット機器、ゲーム機、電子書籍リーダなど、様々なデバイスもしくはデバイス構成のいずれかとすることができる。ＳＴＡ６１０−ａはまた、モバイル動作を容易にするために、電池などの内部電源（図示せず）を有することができる。いくつかの例では、デバイス６００−ａは、プロセッサとすることができる。
【００８４】
[0094]デバイス６００−ａは、第１の無線機６１２と、第２の無線機６１４と、通信マネージャ６１５とを含むことができる。第１の無線機６１２は、第１のＲＡＴ（たとえば、ＷＬＡＮ）に従って動作するように構成され、第２の無線機６１４は、第２の異なるＲＡＴ（たとえば、ＢＴ、ＬＴＥなど）に従って動作するように構成され得る。したがって、第１の無線機６１２は、デバイス６００−ａがＡＰ（図示せず）と双方向に通信できるようにし、また第２の無線機６１４は、図１に関して上記で述べられたものなど、デバイス６００−ａが、他のデバイス（図１の周辺デバイス１３０、１４０など）と双方向に通信できるようにする。さらに第１の無線機６１２は、デバイス６００−ａに、図２、図３、および図４に関して述べられたようになど、ＡＰ２０５、３０５、または４０５に対して信号／通信を送信できるようにする。特に、第１の無線機６１２は、ＡＰ１０５とのＭＵ−ＭＩＭＯ通信、ならびに非ＭＵ通信を実施することに対して両立性があり得る。
【００８５】
[0095]通信マネージャ６１５は、図１において上記で述べたＷＬＡＮ１００の動作を、または動作の一部を実施することができる。さらに通信マネージャ６１５は、図２、図３、または図４の通信フローに関して上記で述べた様々な動作を実施することができる。
【００８６】
[0096]通信マネージャ６１５は、共存状態検出器６２０と、メッセージ発生器６２５と、共存通信コーディネータ６３０とを含むことができる。共存状態検出器６２０は、デバイス６００−ａが、複数のＲＡＴ共存状態における変化を受けたときに、それを検出し、決定し、またはその他の形で識別することができる。上記で述べたように、たとえば、共存状態における変化は、逆も同様であるが、デバイス６００−ａの第２の無線機６１４が、非アクティブ状態（たとえば、アクティブに送信しない）からアクティビティ状態（たとえば、アクティブに送信する）へと移行することであり得る。代替的には、逆も同様であるが、変化は、デバイスの第２の無線機６１４が、ＭＵ−ＭＩＭＯ動作と両立するモードから、ＭＵ−ＭＩＭＯ動作と両立しないモードに移行することであり得る。
【００８７】
[0097]メッセージ発生器６２５は、共存状態検出器６２０により決定された共存状態における変化を示す、ＡＰに送られるメッセージを生成する、またはその他の形で取得するように構成され得る。ＡＰが、デバイス６００−ａの共存状態における変化が生じたことを識別し、検出し、またはその他の形で決定し、デバイス６００−ａの共存状態における変化に少なくとも部分的に基づいて、ＡＰにおけるＭＵ−ＭＩＭＯワイヤレス通信動作を調整することができるように、メッセージは、第１の無線機６１２を介してＡＰに送られ得る。ＡＰに送られるメッセージは、デバイス６００−ａの共存状態における変化に関する情報を含む信号を備えることができる。たとえば、メッセージは、ＡＰが、デバイス６００−ａとのＭＵ−ＭＩＭＯ通信を有効化する／無効化することを求める要求とすることができる。代替的に、メッセージは、ＭＡＣ集約モードが、デバイス６００−ａにおいて有効である／無効であることを示すことができる。さらにメッセージは、特定の値（ゼロまたは１）に設定されたＰＭビットを含むＰＳ−ＰＯＬＬまたはＮＵＬＬフレームとすることができる。
【００８８】
[0098]共存通信コーディネータ６３０は、異なるＲＡＴが同時に動作できるように、第１の無線機６１２および第２の無線機６１４による通信を管理することができる。特に、共存通信コーディネータ６３０は、第２の無線機６１４が、アクティブに送信／受信、または動作していないとき、またはＡＰのＭＵ−ＭＩＭＯ動作と両立する（たとえば、混乱させることのない）方法で動作しているとき、ＡＰのＭＵ−ＭＩＭＯ動作に従って第１の無線機６１２とＡＰとの間の通信を容易にすることができる。
【００８９】
[0099]図４の通信のフローチャート４００における上記で述べられた場合において、メッセージ発生器６２５は、ＡＰにより実施されたサウンディングプロシージャに応じて、ＣＢＦ障害を示すメッセージを生成するように構成され得る。第１の無線機６１２は、サウンディングプロシージャのためのＡＰからの通信を受信することができ、またそれに応じて障害メッセージを送信することができる。代替的に、デバイス６００−ａは、そのような通信に応じてメッセージを生成しないこともあり得る。この場合、サウンディングプロシージャ通信に応じたデバイス６００−ａからの確認応答のないことが、ＣＢＦ障害をＡＰに示すことができる。前述のように、ＡＰは、ＣＢＦ障害に基づき、デバイス６００−ａとの通信に対して、ＡＰにおけるＭＵ−ＭＩＭＯワイヤレス通信動作を調整することができる。
【００９０】
[0100]図示されていないが、デバイス６００−ａは、タイマを含むことができる。通信マネージャ６１５は、ＡＰにより実施されるサウンディングプロシージャに少なくとも部分的に基づいて（たとえば、サウンディングプロシージャ通信の閾値数、またはそれに応じて送られたメッセージの受信に基づいて）、タイマを設定することができる。この場合、メッセージ発生器６２５は、タイマの期限が切れるとメッセージを生成することができる。そのようなメッセージは、第１の無線機６１２によりＡＰに送られ、またタイマの期限が切れたことをＡＰに示すことができる。前述のように、ＡＰは、タイマの期限切れに少なくとも部分的に基づいて（たとえば、デバイス６００−ａからのメッセージに少なくとも部分的に基づいて）、ＭＵ−ＭＩＭＯワイヤレス通信動作の調整を逆にすることができる。
【００９１】
[0101]図６Ｂは、様々な例によるワイヤレス通信に対して構成されたデバイス６００−ｂのブロック図を示す。デバイス６００−ｂは、ＳＴＡ６１０−ｂとすることができ、それは、図１のＳＴＡ１１０、図２、図３、および図４のＳＴＡ２１０、３１０、もしくは４１０、または図６ＡのＳＴＡ６１０−ａの例とすることができる。
【００９２】
[0102]デバイス６００−ｂは、第１の無線機６１２−ａと、第２の無線機６１４−ａとを含むことができる。第１の無線機６１２−ａは、図６Ａの第１の無線機６１２に関して上記で述べたように動作するよう構成され、また第２の無線機６１４−ａは、図６Ａの第２の無線機６１４に関して上記で述べたように動作するように構成され得る。したがって、第１の無線機６１２−ａは、デバイス６００−ｂが、ＡＰ６０５と双方向に通信できるようにし、また第２の無線機６１４−ａは、デバイス６００−ｂが、図示されたＢＴヘッドセット６７５など、非ＷＬＡＮデバイスと双方向に通信できるようにする。第１の無線機６１２−ａは、１つまたは複数のトランシーバ６３５と１つまたは複数のアンテナ６４０とを含むことができる。同様に、第２の無線機６１４−ａは、１つまたは複数のトランシーバ６４５と１つまたは複数のアンテナ６５０とを含むことができる。トランシーバ６３５、６４５は、アンテナ６４０、６５０により、または有線もしくはワイヤレスリンクを介して、前述のように、１つまたは複数のネットワークと双方向に通信することができる。トランシーバ６３５、６４５は、パケットを変調し、変調されたパケットを送信するためにアンテナ６４０、６５０に提供し、またアンテナ６４０、６５０から受信されたパケットを復調するためのモデムを含むことができる。無線機６１２−ａ、６１４−ａの各々は、単一のアンテナ６４０、６５０を含むことができるが、無線機６１２−ａ、６１４−ａのそれぞれは、複数のワイヤレス送信を同時に送信または受信できる複数のアンテナ６４０、６５０を有することもできる。
【００９３】
[0103]図示のように、デバイス６００−ｂは、プロセッサ６５５とメモリ６６０（ソフトウェア（ＳＷ）６６２を記憶している）とを含むことができ、その各々は、互いに、また第１の無線機６１２−ａおよび第２の無線機６１４−ａと（たとえば、バス６７０を介して）、直接または間接的に通信することができる。
【００９４】
[0104]メモリ６６０は、ＲＡＭとＲＯＭとを含むことができる。メモリ６６０は、実行されたとき、プロセッサ６５５に、本明細書で述べられる様々な機能（たとえば、デバイス６００−ｂが、複数のＲＡＴ共存状態における変化を受けたときに検出することなど）を実施させる命令を含むコンピュータ可読のコンピュータ実行可能なソフトウェア／ファームウェアコード６６２を記憶することができる。代替的に、コンピュータ実行可能なソフトウェア／ファームウェアコード６６２は、プロセッサ６５５によって直接実行可能ではないこともあるが、コンピュータに（たとえば、コンパイルされ、実行されたとき）本明細書で述べられる機能を実行させることができる。プロセッサ６５５は、インテリジェントなハードウェアデバイス（たとえば、ＣＰＵ、マイクロコントローラ、ＡＳＩＣなど）を含むことができる。
【００９５】
[0105]デバイス６００−ｂはまた、通信マネージャ６１５−ａを含むことができ、それは、バス６７０を介して他の構成要素と通信することができる。通信マネージャ６１５−ａは、図６Ａの通信マネージャ６１５の例とすることができる。通信マネージャ６１５−ａは、図６Ａの通信マネージャ６１５に関して上記で述べたような動作を実施するように構成され、また上記で述べたものなどの動作を実行するために、図６Ａの通信マネージャ６１５に関して上記で述べたものなどの様々な下位の構成要素を含むことができる。したがって、通信マネージャ６１５−ａは、デバイス６００−ｂが複数のＲＡＴ共存状態における変化を受けたときに、それを検出し、決定し、またはその他の形で識別し、共存状態における変化を示す、ＡＰに送られるメッセージを生成もしくはその他の形で取得し、また異なるＲＡＴが同時に動作できるように、第１の無線機６１２−ａおよび第２の無線機６１４−ａによる通信を管理することができる。特に、通信マネージャ６１５−ａは、第２の無線機６１４−ａが、アクティブに送信／受信していないとき、またはＡＰのＭＵ−ＭＩＭＯ動作と両立する（たとえば、混乱させることのない）方法で動作しているとき、ＡＰのＭＵ−ＭＩＭＯ動作に従って、第１の無線機６１２−ａとＡＰとの間の通信を容易にすることができる。
【００９６】
[0106]通信マネージャ６１５−ａまたはその下位の構成要素は、個々に、または集合的に、ハードウェアで適用可能な機能のいくつか、またはすべてを実施するように適合された少なくとも１つのＡＳＩＣを用いて実施され得る。代替的に、これらの構成要素の機能は、少なくとも１つのＩＣ上の１つまたは複数の他の処理ユニット（またはコア）によって実施され得る。他のタイプの集積回路も使用され得るが（たとえば、構造化／プラットフォームＡＳＩＣ、ＦＰＧＡ、または他のセミカスタムＩＣ）、それらは、当技術分野で知られたいずれかの方法でプログラムされ得る。各ユニットの機能はまた、メモリ内で実施され、１つまたは複数の汎用、もしくは特定用途向けプロセッサにより実行されるようにフォーマット化された命令を用いて、全体的に、または部分的に実施され得る。
【００９７】
[0107]通信マネージャ６１５−ａは、図２、図３、および図４の通信のフローチャート２００、３００、または４００において上記で述べられた様々な動作を（たとえば、プロセッサ６５５、メモリ６６０、および第１の無線機６１２−ａとともに）実行し実施することができる。
【００９８】
[0108]図６Ｃは、様々な例によるワイヤレス通信に対して構成されたデバイス６００−ｃの図を示す。デバイス６００−ｃは、ＳＴＡ６１０−ｃとすることができ、それは、図１のＳＴＡ１１０、図２、図３、および図４のＳＴＡ２１０、３１０、もしくは４１０、図６ＡのＳＴＡ６１０−ａ、または図６ＢのＳＴＡ６１０−ｂの例とすることができる。
【００９９】
[0109]デバイス６００−ｃは、プロセッサ６５５−ａと、メモリ６６０−ａと、第１の無線機６１２−ｂと、第２の無線機６１４−ｂとを含むことができ、その各々が、（たとえば、バス６７０−ａを介して）互いに、直接または間接的に通信することができる。第１の無線機６１２−ｂは、図６Ａの第１の無線機６１２に関して上記で述べたように動作するように構成され、また第２の無線機６１４−ｂは、図６Ａの第２の無線機６１４に関して上記で述べたように動作するように構成され得る。したがって、第１の無線機６１２−ｂは、デバイス６００−ｃが、ＡＰ６０５−ａと双方向に通信できるようにし、また第２の無線機６１４−ｂは、デバイス６００−ｃが、図示されたＢＴヘッドセット６７５−ａなど、非ＷＬＡＮデバイスと双方向に通信できるようにする。第１の無線機６１２−ｂは、１つまたは複数のトランシーバ６３５−ａと１つまたは複数のアンテナ６４０−ａとを含むことができる。同様に、第２の無線機６１４−ｂは、１つまたは複数のトランシーバ６４５−ａと１つまたは複数のアンテナ６５０−ａとを含むことができる。トランシーバ６３５−ａ、６４５−ａ、およびアンテナ６４０−ａ、６５０−ａは、図６Ｂに関して上記で述べたように構成され得る。
【０１００】
[0110]メモリ６６０−ａは、ＲＡＭとＲＯＭとを含むことができる。メモリ６６０−ａは、実行されたとき、プロセッサ６５５−ａに、本明細書で述べられる様々な機能（たとえば、デバイス６００−ｃが、複数のＲＡＴ共存状態における変化を受けたときに検出することなど）を実施させる命令を含むコンピュータ可読のコンピュータ実行可能なソフトウェア／ファームウェアコードを記憶することができる。代替的に、ソフトウェア／ファームウェアコードは、プロセッサ６５５−ａによって直接実行可能ではないこともあるが、コンピュータに（たとえば、コンパイルされ、実行されたとき）本明細書で述べられる機能を実行させることができる。プロセッサ６５５−ａは、インテリジェントなハードウェアデバイス（たとえば、ＣＰＵ、マイクロコントローラ、ＡＳＩＣなど）を含むことができる。図６Ｃの例では、通信マネージャ６１５−ｂは、プロセッサ６５５−ａにより実行可能なソフトウェア／ファームウェアコードとして実施され得る。
【０１０１】
[0111]デバイス６００−ａ、６００−ｂ、および／または６００−ｃの構成要素は、個々に、または集合的に、適用可能な機能のいくつか、またはすべてを実施するように適合されたＡＳＩＣを用いてハードウェアで実施され得る。他の例では、デバイス６００−ａ、６００−ｂ、および／または６００−ｃの機能は、１つのＩＣ上の処理ユニット（またはコア）により実施され得る。他の例では、他のタイプの集積回路（たとえば、構造化／プラットフォームＡＳＩＣ、ＦＰＧＡ、および他のセミカスタムＩＣ）が使用され、それは、当技術分野で知られたいずれかの方法でプログラムされ得る。各ユニットの機能はまた、全体的に、または部分的に、汎用または特定用途向けプロセッサにより実行されるようにフォーマットされた、メモリ内で実施される命令を用いて実施され得る。
【０１０２】
[0112]図７は、様々な例によるワイヤレス通信の方法７００を示すフローチャートを示している。方法７００は、たとえば、図１、図２、図３、図４、図５Ａ、図５Ｂ、図５Ｃ、図６Ａ、図６Ｂ、および図６Ｃのシステム、通信フロー、およびデバイスを用いて実施され得る。ブロック７０５およびブロック７１０は（単独で、または共に）、図５Ａの通信マネージャ５１５、および／または、たとえば、図５Ａの共存変化検出器５２０など、その下位の構成要素により実施され得る。
【０１０３】
[0113]ブロック７０５で、ＡＰなどのワイヤレス通信デバイスは、ＳＴＡなど、第１のデバイスの複数のＲＡＴ共存状態における変化を識別することができる。前に述べたように、変化を識別することは、暗黙のものとすることができ、第１のデバイスからの信号または通信の受信を含むことができるが、あるいはいくつかの場合、第１のデバイスから、通信または信号（たとえば、確認応答）が受信されないことを含むことができる。いくつかの場合では、変化を識別することは、第１のデバイスにおけるＭＡＣ集約モードの有効化または無効化など、第１のデバイスの動作モードの状態を検出することを含むことができる。第１のデバイスの複数のＲＡＴ共存状態における変化は、第１のデバイスが、ＭＵ−ＭＩＭＯ通信に使用されるＲＡＴ以外のＲＡＴ（たとえば、別のアンテナを使用するＢＴまたはＬＴＥ無線機）を用いて、アクティブに通信している共存モードなど、ＭＵ−ＭＩＭＯ通信を混乱させる、第１のデバイスにおける共存モードのアクティベーションまたはデアクティベーションとすることができる。
【０１０４】
[0114]ブロック７１０で、識別された共存の変化に少なくとも部分的に基づき、ワイヤレス通信デバイスは、ＡＰなどの第２のデバイスにおけるＭＵ−ＭＩＭＯワイヤレス通信動作を調整することができる。第２のデバイスにおけるＭＵ−ＭＩＭＯワイヤレス通信動作を調整することは、第２のデバイスとのＭＵ−ＭＩＭＯ通信に対して、第１のデバイスを除外する、または含めることを含むことができる。
【０１０５】
[0115]図８は、様々な例によるワイヤレス通信の方法８００を示すフローチャートを示している。方法８００は、たとえば、図１、図２、図３、図４、図５Ａ、図５Ｂ、および図５Ｃのシステム、通信フロー、およびデバイスを用いて実施され得る。ブロック８０５は、図５Ａの通信マネージャ５１５により（受信機５１２を介して）、および／または、たとえば、図５Ａの共存変化検出器５２０など、その下位の構成要素により実施され得る。ブロック８１０はまた、図５Ａの通信マネージャ５１５により、および／または、たとえば、図５ＡのＭＵ−ＭＩＭＯコーディネータ５２５など、その下位の構成要素により実施され得る。ブロック８２０は、図５Ａの通信マネージャ５１５により、および／または受信機５１２および／または送信機５１４と組み合わせて、図５ＡのＭＵ−ＭＩＭＯコーディネータ５２５など、その下位の構成要素により実施され得る。
【０１０６】
[0116]ブロック８０５で、ＡＰなどのワイヤレス通信デバイスは、ＳＴＡなどの別のデバイスから、ＭＵ−ＭＩＭＯ通信を有効化する、または無効化するための要求を受信することができる。要求に応じて、ワイヤレス通信デバイスは、ブロック８１０で、別のデバイスとのＭＵ−ＭＩＭＯ通信を有効化する、または無効化することができる。ブロック８１５で、ワイヤレス通信デバイスは、ＭＵ−ＭＩＭＯの有効化／無効化を確認する、またはその他の形で認める応答を別のデバイスに送ることができる。次いで、ブロック８２０で、ワイヤレス通信デバイスは、ＭＵ−ＭＩＭＯの有効化または無効化に従って別のデバイスと通信し、それにより、別のデバイスをＭＵ−ＭＩＭＯ通信に含めること、または別のデバイスと個々に（たとえば、別のデバイス以外のＳＴＡなどのデバイスと通信するために使用されるＭＵ−ＭＩＭＯ通信から、別のデバイスを除外するなど）通信することのいずれかを実施することができる。
【０１０７】
[0117]別のデバイスからの、ＭＵ−ＭＩＭＯ通信を有効化する、または無効化するための要求は、アクションフレーム（たとえば、ＤＥＬＢＡまたはＡＤＤＢＡアクションフレーム）など、明示的な信号または通信とすることができ、またベンダ特有のもの（たとえば、ＤＥＬＭＵまたはＡＤＤＭＵアクションフレーム）とすることもできる。代替的に、要求は、暗黙のものとすることができ、またゼロもしくは１に設定されたＰＭビットを有するＰＳ−ＰＯＬＬを備えることができる。
【０１０８】
[0118]図９は、様々な例によるワイヤレス通信の方法９００を示すフローチャートを示している。方法９００は、たとえば、図１、図２、図３、図４、図５Ａ、図５Ｂ、および図５Ｃのシステム、通信フロー、およびデバイスを用いて実施され得る。ブロック９０５は、図５Ａの通信マネージャ５１５により（送信機５１４を介して）、および／または、たとえば、図５ＡのＭＵ−ＭＩＭＯコーディネータ５２５など、その下位の構成要素により実施され得る。ブロック９１０およびブロック９１５はまた、図５Ａの通信マネージャ５１５により、および／または、たとえば、図５Ａの共存変化検出器５２０など、その下位の構成要素により実施され得る。ブロック９２５は、図５Ａの通信マネージャ５１５により、および／または、たとえば、タイマ５２７など、その下位の構成要素により実施され得る。ブロック９２０およびブロック９３０は、図５Ａの通信マネージャ５１５により、および／または受信機５１２および／または送信機５１４と組み合わせて、図５ＡのＭＵ−ＭＩＭＯコーディネータ５２５など、その下位の構成要素により実施され得る。
【０１０９】
[0119]ブロック９０５で、ＡＰなどのワイヤレス通信デバイスは、ＳＴＡなどの別のデバイスと、ビーム形成サウンディング動作を実施することができる。サウンディング動作に応じて、ワイヤレス通信デバイスは、ブロック９１０で、別のデバイスに関するＣＢＦ障害を示す通信を受信することができる。代替的には、ブロック９１０で、ＣＢＦ障害は、サウンディング動作に対するワイヤレス通信デバイスからの通信に応じた確認応答がないなど、応答の欠如により示され得る。
【０１１０】
[0120]ブロック９１５で、ワイヤレス通信デバイスは、閾値数のＣＢＦ障害が別のデバイスで生じたと決定することができる。たとえば、ワイヤレス通信デバイスは、ＣＢＦ障害を合計し、その合計を閾値数と比較することができる。ブロック９２０で、ブロック９１５における決定に少なくとも部分的に基づき、ワイヤレス通信デバイスは、たとえば、別のデバイスとのＭＵ−ＭＩＭＯ動作を有効化するなど、別のデバイスに対するＭＵ−ＭＩＭＯ動作を、ワイヤレス通信デバイスで調整することができる。ブロック９２５で、ワイヤレス通信デバイスは、ブロック９１５における決定に少なくとも部分的に基づいて設定されたタイマの期限切れを検出することができる。次いで、ブロック９２５における検出に少なくとも部分的に基づいて、ワイヤレス通信デバイスは、ワイヤレス通信デバイスにおけるＭＵ−ＭＩＭＯワイヤレス通信動作の調整を逆にすることができる。
【０１１１】
[0121]簡潔にするために示されていないが、ワイヤレス通信デバイスは、ブロック９２０における調整の後、ブロック９３０で調整が逆にされるまで、別のデバイスとＭＵ−ＭＩＭＯ通信を実施できることを理解されたい。ブロック９３０で調整が逆にされた後、ワイヤレス通信デバイスは、別のデバイスを、別のデバイス以外のＳＴＡなどのデバイスと実施されるＭＵ−ＭＩＭＯ通信から除外することができる。
【０１１２】
[0122]前述のように、ビーム形成サウンディング動作を実施することは、ワイヤレス通信デバイスから別のデバイスに通信を送ることを含むことができる。ワイヤレス通信デバイスは、ＣＢＦ障害を示すサウンディング通信に応じた通信を受信することができる、またはサウンディング通信に対する何らかの応答を受信しない可能性がある。第２のデバイスでＭＵ−ＭＩＭＯワイヤレス通信動作を調整することは、第２のデバイスとのＭＵ−ＭＩＭＯ通信に関して第１のデバイスを除外することを含むことができ、また調整を逆にすることは、第２のデバイスとのＭＵ−ＭＩＭＯ通信に対して第１のデバイスを含めることを含むことができる。
【０１１３】
[0123]図１０は、様々な例によるワイヤレス通信の方法１０００を示すフローチャートを示している。方法１０００は、たとえば、図１、図２、図３、図４、図６Ａ、図６Ｂ、および図６Ｃのシステム、通信フロー、およびデバイスを用いて実施され得る。ブロック１００５は、図６Ａの通信マネージャ６１５により、および／または、たとえば、図６Ａの共存状態検出器６２０など、その下位の構成要素により実施され得る。ブロック１０１０はまた、たとえば、図６Ａの通信マネージャ６１５により、および／または、たとえば、図６Ａの第１の無線機６１２と組み合わせて、メッセージ発生器６２５など、その下位の構成要素により実施され得る。
【０１１４】
[0124]ブロック１００５で、ＳＴＡなどの第１のデバイスは、第１のデバイスの複数のＲＡＴ共存状態における変化を検出することができる。次いで、ブロック１０１０で、検出された変化に少なくとも部分的に基づき、第１のデバイスは、ＡＰなどの第２のデバイスにメッセージを送信することができる。送信されるメッセージは、第２のデバイスにより受信されたとき、第２のデバイスにおけるＭＵ−ＭＩＭＯワイヤレス通信動作の調整をトリガすることができる。第１のデバイスの複数のＲＡＴ共存状態における変化は、第１のデバイスが、ＭＵ−ＭＩＭＯ通信に使用されるＲＡＴ以外のＲＡＴを使用してアクティブに通信している共存モードなど、ＭＵ−ＭＩＭＯ通信を混乱させる第１のデバイスにおける共存モードのアクティベーションまたはデアクティベーションとすることができる。第２のデバイスに送信されるメッセージは、別のデバイスからのＭＵ−ＭＩＭＯ通信を有効化する、または無効化するための要求とすることができアクションフレーム（たとえば、ＤＥＬＢＡまたはＡＤＤＢＡアクションフレーム）などの明示的な信号または通信とすることができ、さらにまたベンダ特有のもの（たとえば、ＤＥＬＭＵまたはＡＤＤＭＵアクションフレーム）とすることができる。代替的に、メッセージは、暗黙的なものとすることができ、ゼロもしくは１にセットされたＰＭビットを有するＰＳ−ＰＯＬＬを備えることができる。
【０１１５】
[0125]方法７００、８００、９００、および１０００は、本明細書で述べられるツールおよび技法の単に例示的な実施形態にすぎないことが、当業者には明らかであろう。方法７００、８００、９００、および１０００は、ブロックを追加または除去して、再配置する、またはその他の形で修正することができ、したがって、他の実施形態も可能である。
【０１１６】
[0126]添付図面とともに上記の述べられた詳細な説明は、例示的な例を述べるものであり、実施され得る、または特許請求の範囲に含まれる唯一の例を示すものではない。たとえば、前述の例は、主として、ＷＬＡＮとＢＴとを参照して述べられているが、様々な他のＲＡＴ（たとえば、ＷＷＡＮ、ＮＦＣ、ｅＮＢなど）が含まれ得る。したがって、前述の例は、ＡＰとＳＴＡとを参照するが、特定のＲＡＴに対応する他のデバイスが含まれ得ることを理解されたい。
【０１１７】
[0127]「例示的な」または「例」という用語は、本記述を通して使用される場合、「例（ｅｘａｍｐｌｅ）、例（ｉｎｓｔａｎｃｅ）、または例示（ｉｌｌｕｓｔｒａｔｉｏｎ）として働くこと」を意味しており、「好ましい」、または「他の例に対して有利である」ことを意味するものではない。詳細な説明は、述べられた技法の理解を提供することを目的として特有の細部を含む。しかし、これらの技法は、これらの特有の細部を含まずに実施され得る。いくつかの例では、よく知られた構造およびデバイスが、述べられた例の概念を曖昧にしないようにするために、ブロック図形式で示されている。
【０１１８】
[0128]情報および信号は、様々な異なる技術および技法のいずれかを用いて表現され得る。たとえば、上記の記述の全体を通して参照され得るデータ、命令、コマンド、情報、信号、ビット、シンボル、およびチップは、電圧、電流、電磁波、磁界もしくは磁粉、光学場もしくは粒子、またはそれらの任意の組合せにより表現され得る。
【０１１９】
[0129]本明細書における開示に関連して述べられた様々なブロックおよびモジュール（受信機５１２、送信機５１４、通信マネージャ５１５、５１５−ａ、６１５、６１５−ａ、共存変化検出器５２０、ＭＵ−ＭＩＭＯコーディネータ５２５、タイマ５２７、プロセッサ５３０、５３０−ａ、６５５、６５５−ａ、トランシーバ５４０、５４０−ａ、６３５、６４５、６３５−ａ、６４５−ａ、共存状態検出器６２０、メッセージ発生器６２５、共存通信コーディネータ６３０、第１の無線機６１２、６１２−ａ、６１２−ｂ、および第２の無線機６１４、６１４−ａ、６１４−ｂなど）は、汎用プロセッサ、デジタル信号プロセッサ（ＤＳＰ）、ＡＳＩＣ、ＦＰＧＡもしくは他のプログラム可能な論理デバイス、ディスクリートのゲートもしくはトランジスタ論理、ディスクリートのハードウェア構成要素、または本明細書で述べられた機能を実施するように設計されたそれらの任意の組合せを用いて実行される、または実施され得る。汎用プロセッサは、マイクロプロセッサとすることができるが、代替的には、プロセッサは、任意の従来のプロセッサ、コントローラ、マイクロコントローラ、または状態マシンとすることができる。プロセッサはまた、たとえば、ＤＳＰとマイクロプロセッサ、複数のマイクロプロセッサ、ＤＳＰコアと併せた１つもしくは複数のマイクロプロセッサ、または任意の他のそのような構成の組合せなど、コンピュータデバイスの組合せとしても実施することができる。
【０１２０】
[0130]本明細書で述べられる機能は、ハードウェア、プロセッサにより実行されるソフトウェア、ファームウェア、またはそれらの任意の組合せで実施され得る。プロセッサにより実行されるソフトウェアで実施される場合、機能は、コンピュータ可読媒体上の１つまたは複数の命令もしくはコードとして記憶され送信され得る。他の例および実施形態も、本開示および添付の特許請求の範囲に含まれる。たとえば、ソフトウェアの性質上、上記で述べられた機能は、プロセッサにより実行されるソフトウェア、ハードウェア、ファームウェア、ハードワイヤリング、またはそれらの任意の組合せを用いて実施され得る。動作を実施する機能はまた、機能の部分が、異なる物理的な場所で実施されるように分散されることも含む様々な位置に物理的に配置され得る。さらに特許請求の範囲を含む本明細書で使用される場合、項目のリスト（たとえば、「〜の少なくとも１つ」または「１つまたは複数の」などの句で始まる項目のリストなど）で使用される「または」は、たとえば、［Ａ、Ｂ、またはＣの少なくとも１つ］のリストが、ＡもしくはＢもしくはＣ、またはＡＢもしくはＡＣもしくはＢＣ、またはＡＢＣ（すなわち、ＡおよびＢおよびＣ）を意味するように、選言的リストを示す。
【０１２１】
[0131]コンピュータ可読媒体は、コンピュータ記憶媒体と、コンピュータプログラムを１つの場所から他の場所へと移送するのを容易にする任意の媒体を含む通信媒体の両方を含む。記憶媒体は、汎用または専用コンピュータによりアクセスされ得る任意の利用可能な媒体とすることができる。例としてであり、限定するものではないが、コンピュータ可読媒体は、ＲＡＭ、ＲＯＭ、電気的に消去可能、書込み可能な読出し専用メモリ（ＥＥＰＲＯＭ（登録商標））、コンパクトディスク（ＣＤ）ＲＯＭもしくは他の光ディスク記憶装置、磁気ディスク記憶装置もしくは他の磁気記憶デバイス、あるいは命令もしくはデータ構造の形式の望ましいプログラムコード手段を搬送もしくは記憶するために使用され得る、また汎用もしくは専用コンピュータ、または汎用もしくは専用プロセッサによりアクセスされ得る任意の他の媒体を備えることができる。さらに任意の接続は、適正にはコンピュータ可読媒体と称される。たとえば、ソフトウェアが、同軸ケーブル、光ファイバケーブル、ツイストペア、デジタル加入者線（ＤＳＬ）、または赤外線、無線、およびマイクロ波などのワイヤレス技術を用いて、ウェブサイト、サーバ、または他の遠隔ソースから送信された場合、同軸ケーブル、光ファイバケーブル、ツイストペア、ＤＳＬ、または赤外線、無線、およびマイクロ波などのワイヤレス技術は、媒体の定義に含まれる。本明細書で使用される場合、ディスク（ｄｉｓｋおよびｄｉｓｃ）は、ＣＤ、レーザディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ（登録商標）ディスク（ｄｉｓｃ）を含み、ここで、ディスク（ｄｉｓｋ）は、通常、データを磁気的に再生するが、ディスク（ｄｉｓｃ）は、レーザを用いてデータを光学的に再生する。上記の組合せもまた、コンピュータ可読媒体の範囲に含まれる。
【０１２２】
[0132]本開示の前の記述は、当業者が本開示を製作または使用できるようにするために提供される。本開示に対する様々な変更は、当業者であれば容易に明らかになるはずであり、また本明細書で定義される一般的な原理は、本開示の範囲から逸脱することなく、他の変形形態に提供され得る。したがって、本開示は、本明細書で述べられた例および設計に限定されるべきではなく、本明細書で開示された原理および新規の特徴と矛盾しない最も広い範囲が与えられるべきである。
【図１】
2018509058.tif 000003
【図２】
2018509058.tif 000004
【図３】
2018509058.tif 000005
【図４】
2018509058.tif 000006
【図５Ａ】
2018509058.tif 000007
【図５Ｂ】
2018509058.tif 000008
【図５Ｃ】
2018509058.tif 000009
【図６Ａ】
2018509058.tif 000010
【図６Ｂ】
2018509058.tif 000011
【図６Ｃ】
2018509058.tif 000012
【図７】
2018509058.tif 000013
【図８】
2018509058.tif 000014
【図９】
2018509058.tif 000015
【図１０】
2018509058.tif 000016
【国際調査報告】
2018509058.tif 000017
2018509058.tif 000018
2018509058.tif 000019